(57)【特許請求の範囲】
【請求項１】
画像が記録されたシート部材に複数の色の照明光を順次、照射して当該画像の光像を作成し、その光像を撮像手段で順次、画像信号に光電変換して取り込み、それらの色の画像信号に基づいて上記画像を記録紙に形成する画像形成装置であって、第１の三原色で上記画像を記録紙に形成する画像形成手段と、少なくとも第１の三原色とこれと補色関係にある第２の三原色とからなる６種類の色が発光可能な照明手段と、上記シート部材に記録された画像の陰陽の種類を設定する設定手段と、上記撮像手段で取り込まれた画像信号を上記画像形成手段で取扱可能な信号にするべく当該画像信号の明暗及び色彩を反転する信号反転手段と、上記設定手段で設定された画像の種類に基づいて上記照明光の発光色と上記信号反転手段の反転処理動作とを制御する制御手段とを備えたことを特徴とする画像形成装置。
【請求項２】
上記第１の三原色は減色法における三原色のシアン、マゼンタ、イエローであり、上記第２の三原色は加色法における三原色の赤、青、緑であることを特徴とする請求項１記載の画像形成装置。
【請求項３】
上記照明手段は、赤、緑、青の単色光を発光する３種類の光源とこれらの光源の発光を制御する発光制御手段とからなり、上記単色光を単独で発光し、若しくは２色以上を同時に発光して上記６種類の色を発光するものであることを特徴とする請求項２記載の画像形成装置。
【請求項４】
上記シート部材は、新写真システムに適用されるフィルムからなり、上記設定手段は、上記シート部材が収納されるフィルムカートリッジに記録された当該シート部材の種類に関する情報を読み取り、その情報内容に基づいて画像の陰陽の種類を自動設定するものであることを特徴とする請求項１載の画像形成装置。
【請求項５】
各色成分の画像信号は、上記撮像手段で取り込まれる毎に、上記画像形成手段に順次、出力されることを特徴とする請求項１記載の画像形成装置。
【請求項６】
上記制御手段は、上記シート部材の画像がカラーネガ画像のとき、当該カラーネガ画像を第２の三原色の単色光で照明し、上記撮像手段で取り込まれた第２の三原色の色成分からなるネガ画像信号を上記信号反転手段で第１の三原色の色成分からなるポジ画像信号に反転して上記画像形成手段に出力することを特徴とする請求項１又は２記載の画像形成装置。
【請求項７】
請求項６記載の画像形成装置において、上記照明手段は、更に白色の照明光を発光可能になされ、上記制御手段は、当該カラーネガ画像を第２の三原色の単色光と白色光とで順次、照明し、上記撮像手段で取り込まれた第２の三原色の色成分と輝度成分とからなるネガ画像信号を上記信号反転手段でポジ画像信号に反転して上記画像形成手段に出力することを特徴とする画像形成装置。
【請求項８】
上記制御手段は、上記シート部材の画像がカラーポジ画像のとき、当該カラーポジ画像を第１の三原色の単色光で照明し、上記撮像手段で取り込まれた第１の三原色の色成分からなるポジ画像信号を上記信号反転手段で反転処理することなく上記画像形成手段に出力することを特徴とする請求項１又は２記載の画像形成装置。
【請求項９】
請求項８記載の画像形成装置において、上記照明手段は、更に白色の照明光を発光可能になされ、上記制御手段は、当該カラーポジ画像を第１の三原色の単色光と白色光とで順次、照明し、上記撮像手段で取り込まれた第１の三原色の色成分と輝度成分とからなるポジ画像信号を上記信号反転手段で反転処理することなく上記画像形成手段に出力することを特徴とする画像形成装置。
【請求項１０】
請求項１又は２記載の画像形成装置において、第２の三原色で画像処理を行う画像処理装置が外部接続可能な接続手段と、画像信号の上記画像形成手段への出力と上記画像処理装置への出力とを切換設定する出力先設定手段とを更に備え、上記制御手段は、上記設定手段で設定された画像の種類と上記出力先設定手段で設定された出力先とに基づいて上記照明光の発光色と上記信号反転手段の反転処理動作とを制御するものであることを特徴とする画像形成装置。
【請求項１１】
上記出力先設定手段は、上記接続手段の接続状態を検出し、上記画像処理装置が外部接続されているとき、画像信号の出力先を当該画像処理装置に自動設定するものであることを特徴とする請求項１０記載の画像形成装置。
【請求項１２】
上記制御手段は、上記シート部材の画像がカラーネガ画像で、画像信号の出力先が画像処理装置に設定されているとき、カラーネガ画像を第１の三原色の単色光で照明し、上記撮像手段で取り込まれた第１の三原色の色成分からなるネガ画像信号を上記信号反転手段で第２の三原色の色成分からなるポジ画像信号に反転して上記画像処理装置に出力することを特徴とする請求項１０又は１１記載の画像形成装置。
【請求項１３】
請求項１２記載の画像形成装置において、上記照明手段は、更に白色の照明光を発光可能になされ、上記制御手段は、カラーネガ画像を第１の三原色の単色光と白色光とで順次、照明し、上記撮像手段で取り込まれた第１の三原色の色成分と輝度成分とからなるネガ画像信号を上記信号反転手段でポジ画像信号に反転して上記画像処理装置に出力することを特徴とする画像形成装置。
【請求項１４】
上記制御手段は、上記シート部材の画像がカラーポジ画像で、画像信号の出力先が画像処理装置に設定されているとき、カラー画像を第２の三原色の単色光で照明し、上記撮像手段で取り込まれた第２の三原色の色成分からなるポジ画像信号を上記信号反転手段で反転処理することなく上記画像処理装置に出力することを特徴とする請求項１０又は１１記載の画像形成装置。
【請求項１５】
請求項１４記載の画像形成装置において、上記照明手段は、更に白色の照明光を発光可能になされ、上記制御手段は、カラーポジ画像を第２の三原色の単色光と白色光とで順次、照明し、上記撮像手段で取り込まれた第２の三原色の色成分と輝度成分とからなるポジ画像信号を上記信号反転手段で反転処理することなく上記画像形成手段に出力することを特徴とする画像形成装置。
【発明の詳細な説明】
【０００１】
【発明の属する技術分野】
本発明は、フィルムや用紙等のシート部材に記録された画像をＣＣＤ（Charge Coupled Device）エリアセンサ等の撮像素子で読み取り、記録紙に出力する画像形成装置に関する。
【０００２】
【従来の技術】
従来、互いに異なる色を発光する複数個のフラッシュチューブを備え、各フラッシュチューブで多色原稿を照明して、色成分に分離した光像を形成し、その光像を撮像手段で画像信号に光電変換して読み取る画像読取装置が知られている（特開昭５９−８００５９号）。
【０００３】
また、フィルムに撮影された画像をＣＣＤラインセンサで画像信号に光電変換して取り込むフィルムスキャナーにおいて、Ｒ，Ｇ，Ｂの照明光源を有し、各色の照明光でフィルムを順次、照明し、その照明により形成される光像をＣＣＤラインセンサで読み取るものが商品化されている。
【０００４】
【発明が解決しようとする課題】
ところで、フィルムに撮影された画像（以下、フィルム画像という。）を画像信号に光電変換して取り込み、その画像信号を用いてフィルム画像を記録紙に出力する場合、一般に記録紙への像形成は減色法の三原色Ｃ（シアン），Ｍ（マゼンタ），Ｙ（イエロー）の色成分若しくはこれらにＫ（黒）の色成分を加えた４種類の色成分で行われるのに対し、フィルムにはカラーネガ、カラーポジ、モノクロネガの３種類があり、撮像手段で取り込む際の好適な色成分はフィルムの種類に応じて異なる。
【０００５】
このため、種々のフィルムに撮影されたフィルム画像を記録紙に出力し得るプリンタを構成する場合、記録紙に形成された画像の高画質化と画像処理の簡略化とを考慮すると、フィルムの種類に適した色成分に分解してフィルム画像を読み取り、その色成分の画像信号をＣＭＹ又はＣＭＹＫのポジ信号に変換し、そのポジ信号を用いて像形成することが望ましい。
【０００６】
例えばカラーネガフィルムのフィルム画像をプリントする場合は、Ｒ，Ｇ，Ｂの色成分に分解してフィルム画像を読み取り、Ｒ，Ｇ，Ｂの色成分のネガ画像信号をＣ，Ｍ，Ｙの色成分のポジ画像信号に反転処理してプリントすることが好ましい。また、カラーポジフィルムのフィルム画像をプリントする場合は、Ｃ，Ｍ，Ｙの色成分に分解してフィルム画像を読み取り、Ｃ，Ｍ，Ｙの色成分のポジ画像信号を反転処理することなくそのままプリントすることが好ましい。
【０００７】
しかし、上記従来の画像読取装置は、Ｒ，Ｇ，Ｂの色を発光する複数個の光源を設け、各色でカラー原稿やカラーフィルムを照明することによりＲ，Ｇ，Ｂの色成分に分解された画像信号を取り込むのみであり、フィルムの種類に応じて光源の色を選択するものではないので、フィルムの種類によってはフィルム画像を読み取る際の色分解が適切でない場合が生じる。
【０００８】
また、種々のフィルムに撮影されたフィルム画像を記録紙に出力し得るプリンタであって、マイクロコンピュータ等の加色法の三原色Ｒ，Ｇ，Ｂで画像処理を行う画像処理装置が外部接続可能なプリンタにおいては、画像信号の出力先がプリンタのプリント部か外部接続された画像処理装置かによって出力信号の色成分の種類が異なるので、更にフィルムの種類と出力先の組み合わせによって画像信号の取り扱いが適切でない場合が生じる。
【０００９】
そして、このような問題はフィルム画像に限られず、原稿等の画像が記録されたシート部材についても言えることである。
【００１０】
本発明は、上記課題に鑑みてなされたものであり、撮像対象の種類に応じて最も適した色成分に分解して画像信号を読み取り、必要に応じて取扱可能な色成分の画像信号に変換し、その画像信号を用いて記録紙に出力することにより画質劣化の少ない画像形成装置を提供するものである。
【００１１】
【課題を解決するための手段】
本発明は、画像が記録されたシート部材に複数の色の照明光を順次、照射して当該画像の光像を作成し、その光像を撮像手段で順次、画像信号に光電変換して取り込み、それらの色の画像信号に基づいて上記画像を記録紙に形成する画像形成装置であって、第１の三原色で上記画像を記録紙に形成する画像形成手段と、少なくとも第１の三原色とこれと補色関係にある第２の三原色とからなる６種類の色が発光可能な照明手段と、上記シート部材に記録された画像の陰陽の種類を設定する設定手段と、上記撮像手段で取り込まれた画像信号を上記画像形成手段で取扱可能な信号にするべく当該画像信号の明暗及び色彩を反転する信号反転手段と、上記設定手段で設定された画像の種類に基づいて上記照明光の発光色と上記信号反転手段の反転処理動作とを制御する制御手段とを備えたものである（請求項１）。なお、上記第１の三原色は減色法における三原色のシアン、マゼンタ、イエローとし、上記第２の三原色は加色法における三原色の赤、青、緑とするとよい（請求項２）。
【００１２】
上記構成によれば、設定手段で設定された画像の種類に基づいて照明光の発光色が設定され、この発光色でシート部材が順次、照明され、その照明により作成された光像が撮像手段で画像信号に光電変換して取り込まれる。撮像手段で取り込まれた画像信号は、必要に応じて信号反転手段でその明暗及び色彩が反転され、これにより画像形成手段で取扱可能な色の画像信号に変換される。
【００１３】
例えばシート部材に記録された画像がカラーネガ画像のとき、当該画像が第２の三原色からなる発光色、例えば赤，緑，青の発光色で順次、照明して撮像手段でそれぞれ読み取られ、その画像信号は明暗及び色彩の反転処理により第１の三原色からなるカラーポジ信号に反転されて像形成手段に出力される。また、シート部材に記録された画像がカラーポジ画像のとき、当該画像が第１の三原色からなる発光色、例えばシアン、マゼンタ、イエローの発光色で順次、照明して撮像手段でそれぞれ読み取られ、その画像信号（第１の三原色からなるカラーポジ信号）は明暗及び色彩の反転処理を行うことなくそのまま像形成手段に出力される。
【００１４】
そして、像形成手段で画像信号に基づき読み取られた画像が記録紙に像形成される。
【００１５】
また、上記画像形成装置において、上記照明手段は、赤、緑、青の単色光を発光する３種類の光源とこれらの光源の発光を制御する発光制御手段とからなり、上記単色光を単独で発光し、若しくは２色以上を同時に発光して上記６種類の色を発光するとよい（請求項３）。
【００１６】
上記構成によれば、Ｒ（赤），Ｇ（緑），Ｂ（青）の単色光を単独で発光させて第１の三原色の照明光が発光され、Ｒ，Ｇ，Ｂのうちの２色を同時に発光させて第２の三原色（Ｃ（シアン），Ｍ（マゼンタ），Ｙ（イエロー））の照明光が発光される。すなわち、ＧとＢを同時に発光させてＣの色が発光され、ＢとＲを同時に発光させてＭの色が発光され、ＲとＧを同時に発光させてＹの色が発光される。
【００１７】
また、上記画像形成装置において、上記シート部材が新写真システムに適用されるフィルムからなり、上記設定手段は、上記シート部材が収納されるフィルムカートリッジに記録された当該シート部材の種類に関する情報を読み取り、その情報内容に基づいて画像の陰陽の種類を自動設定するとよい（請求項４）。
【００１８】
上記構成によれば、画像形成装置にフィルムカートリッジが装填されると、当該フィルムカートリッジに記録されたフィルムの種類に関する情報が自動的に読み取られ、その読取内容に基づいてフィルムに記録された画像の陰陽（ネガ／ポジ）の種類が設定される。
【００１９】
更にまた、上記画像形成装置において、各色成分の画像信号は、上記撮像手段で取り込まれる毎に、上記画像形成手段に順次、出力するとよい（請求項５）。
【００２０】
上記構成によれば、シート部材に記録された画像は三原色の色成分に分解されて撮像手段で順次、読み取られるが、各色成分の画像が読み取られる毎にその画像信号が画像形成手段で取扱可能な色成分の画像信号に変換されて当該画像形成手段に出力される。
【００２１】
例えばシート部材に記録された画像がカラーネガ画像のとき、まず、当該画像が赤の発光色で照明されて撮像手段で読み取られ、その赤の色成分のネガ画像信号は明暗及び色彩の反転処理によりシアンの色成分のポジ信号に反転されて像形成手段に出力される。次に、シート部材に形成された画像は、緑の発光色で照明されて撮像手段で読み取られ、その緑の色成分のネガ画像信号はマゼンタの色成分のポジ信号に反転されて像形成手段に出力され、最後に青の発光色で照明されて撮像手段で読み取られ、その青の色成分のネガ画像信号はイエローの色成分のポジ信号に反転されて像形成手段に出力される。
【００２２】
また、本発明は、上記画像形成装置において、上記制御手段は、上記シート部材の画像がカラーネガ画像のとき、当該カラーネガ画像を第２の三原色の単色光で照明し、上記撮像手段で取り込まれた第２の三原色の色成分からなるネガ画像信号を上記信号反転手段で第１の三原色の色成分からなるポジ画像信号に反転して上記画像形成手段に出力するものである（請求項６）。
【００２３】
上記構成によれば、シート部材に記録されたカラーネガ画像は、第２の三原色からなる発光色（例えばＲ，Ｇ，Ｂの発光色）で順次、照明されて撮像手段でそれぞれ読み取られ、各色成分の画像信号は、明暗及び色彩の反転処理により第１の三原色（Ｃ，Ｍ，Ｙ）の色成分からなるカラーポジ信号に変換されて像形成手段に出力される。
【００２４】
また、本発明は、請求項６記載の画像形成装置において、上記照明手段は、更に白色の照明光を発光可能になされ、上記制御手段は、当該カラーネガ画像を第２の三原色の単色光と白色光とで順次、照明し、上記撮像手段で取り込まれた第２の三原色の色成分と輝度成分とからなるネガ画像信号を上記信号反転手段でポジ画像信号に反転して上記画像形成手段に出力するものである（請求項７）。
【００２５】
上記構成によれば、シート部材に記録されたカラーネガ画像は、第２の三原色からなる発光色（例えばＲ，Ｇ，Ｂの発光色）と白色光とで順次、照明されて撮像手段で読み取られ、各色成分及び輝度成分の画像信号は、明暗及び色彩の反転処理により第１の三原色（Ｃ，Ｍ，Ｙ）の色成分と輝度成分とからなるカラーポジ信号に変換されて像形成手段に出力される。
【００２６】
また、本発明は、上記画像形成装置において、上記制御手段は、上記シート部材の画像がカラーポジ画像のとき、当該カラーポジ画像を第１の三原色の単色光で照明し、上記撮像手段で取り込まれた第１の三原色の色成分からなるポジ画像信号を上記信号反転手段で反転処理することなく上記画像形成手段に出力するものである（請求項８）。
【００２７】
上記構成によれば、シート部材に記録されたカラーポジ画像は、第１の三原色からなる発光色（例えばＣ，Ｍ，Ｙの発光色）で順次、照明されて撮像手段でそれぞれ読み取られ、各色成分の画像信号（ポジ信号）は、明暗及び色彩の反転処理をすることなくそのまま像形成手段に出力される。
【００２８】
また、本発明は、請求項８記載の画像形成装置において、上記照明手段は、更に白色の照明光を発光可能になされ、上記制御手段は、当該カラーポジ画像を第１の三原色の単色光と白色光とで順次、照明し、上記撮像手段で取り込まれた第１の三原色の色成分と輝度成分とからなるポジ画像信号を上記信号反転手段で反転処理することなく上記画像形成手段に出力するものである（請求項９）。
【００２９】
上記構成によれば、シート部材に記録されたカラーポジ画像は、第１の三原色からなる発光色（例えばＣ，Ｍ，Ｙの発光色）と白色光とで順次、照明されて撮像手段で読み取られ、各色成分及び輝度成分の画像信号（ポジ信号）は、明暗及び色彩の反転処理をすることなくそのまま像形成手段に出力される。
【００３０】
また、本発明は、上記画像形成装置において、第２の三原色で画像処理を行う画像処理装置が外部接続可能な接続手段と、画像信号の上記画像形成手段への出力と上記画像処理装置への出力とを切換設定する出力先設定手段とを更に備え、上記制御手段は、上記設定手段で設定された画像の種類と上記出力先設定手段で設定された出力先とに基づいて上記照明光の発光色と上記信号反転手段の反転処理動作とを制御するものである（請求項１０）。なお、上記画像形成装置において、上記出力先設定手段は、上記接続手段の接続状態を検出し、上記画像処理装置が外部接続されているとき、画像信号の出力先を当該画像処理装置に自動設定するとよい（請求項１１）。
【００３１】
上記構成によれば、設定手段で設定された画像の種類に基づいて照明光の発光色が設定され、この発光色でシート部材が順次、照明され、その照明により作成された光像が撮像手段で画像信号に光電変換して取り込まれる。また、設定手段で設定された画像の種類と出力先設定手段で設定された出力先とに基づいて信号反転手段の反転処理の有無が設定され、撮像手段で取り込まれた画像信号は、必要に応じて信号反転手段でその明暗及び色彩が反転され、これにより出力先で処理可能な信号に変換されて像形成手段若しくは画像処理装置に出力される。
【００３２】
例えばシート部材に記録された画像がカラーネガ画像で、出力先が像形成手段のとき、当該画像は、第２の三原色からなる発光色、例えば赤，緑，青の発光色で順次、照明されて撮像手段でそれぞれ読み取られ、その画像信号は明暗及び色彩の反転処理により第１の三原色からなるカラーポジ信号に反転されて像形成手段に出力される。また、シート部材に記録された画像がカラーポジ画像で、出力先が画像処理装置のとき、当該画像は、第２の三原色からなる発光色で順次、照明されて撮像手段でそれぞれ読み取られ、その画像信号（第２の三原色からなるカラーポジ信号）は明暗及び色彩の反転処理を行うことなくそのまま画像処理装置に出力される。
【００３３】
そして、像形成手段では画像信号に基づき読み取られた画像が記録紙に像形成され、画像処理装置では画像信号に基づき所定の画像処理が行われる。
【００３４】
また、本発明によれば、請求項１０又は１１記載の画像形成装置において、上記制御手段は、上記シート部材の画像がカラーネガ画像で、画像信号の出力先が画像処理装置に設定されているとき、カラーネガ画像を第１の三原色の単色光で照明し、上記撮像手段で取り込まれた第１の三原色の色成分からなるネガ画像信号を上記信号反転手段で第２の三原色の色成分からなるポジ画像信号に反転して上記画像処理装置に出力するものである（請求項１２）。
【００３５】
上記構成によれば、シート部材に記録されたカラーネガ画像は、第１の三原色からなる発光色（例えばＣ，Ｍ，Ｙの発光色）で順次、照明されて撮像手段でそれぞれ読み取られ、各色成分の画像信号は、明暗及び色彩の反転処理により第２の三原色（Ｒ，Ｇ，Ｂ）の色成分からなるカラーポジ信号に変換されて画像処理装置に出力される。
【００３６】
また、本発明は、請求項１２記載の画像形成装置において、上記照明手段は、更に白色の照明光を発光可能になされ、上記制御手段は、カラーネガ画像を第１の三原色の単色光と白色光とで順次、照明し、上記撮像手段で取り込まれた第１の三原色の色成分と輝度成分とからなるネガ画像信号を上記信号反転手段でポジ画像信号に反転して上記画像形成手段に出力するものである（請求項１３）。
【００３７】
上記構成によれば、シート部材に記録されたカラーネガ画像は、第１の三原色からなる発光色（例えばＣ，Ｍ，Ｙの発光色）と白色光とで順次、照明されて撮像手段で読み取られ、各色成分及び輝度成分の画像信号は、明暗及び色彩の反転処理により第２の三原色（Ｒ，Ｇ，Ｂ）の色成分と輝度成分からなるカラーポジ信号に変換されて画像処理装置に出力される。
【００３８】
また、本発明は、請求項１０又は１１記載の画像形成装置において、上記制御手段は、上記シート部材の画像がカラーポジ画像で、画像信号の出力先が画像処理装置に設定されているとき、カラー画像を第２の三原色の単色光で照明し、上記撮像手段で取り込まれた第２の三原色の色成分からなるポジ画像信号を上記信号反転手段で反転処理することなく上記画像処理装置に出力するものである（請求項１４）。
【００３９】
上記構成によれば、シート部材に記録されたカラーポジ画像は、第２の三原色からなる発光色（例えばＲ，Ｇ，Ｂの発光色）で順次、照明されて撮像手段でそれぞれ読み取られ、各色成分の画像信号（ポジ信号）は、明暗及び色彩の反転処理をすることなくそのまま画像処理装置に出力される。
【００４０】
また、本発明は、請求項１４記載の画像形成装置において、上記照明手段は、更に白色の照明光を発光可能になされ、上記制御手段は、カラーポジ画像を第２の三原色の単色光と白色光とで順次、照明し、上記撮像手段で取り込まれた第２の三原色の色成分と輝度成分とからなるポジ画像信号を上記信号反転手段で反転処理することなく上記画像形成手段に出力するものである（請求項１５）。
【００４１】
上記構成によれば、シート部材に記録されたカラーポジ画像は、第２の三原色からなる発光色（例えばＲ，Ｇ，Ｂの発光色）と白色光とで順次、照明されて撮像手段で読み取られ、各色成分及び輝度成分の画像信号（ポジ信号）は、明暗及び色彩の反転処理をすることなくそのまま画像処理装置に出力される。
【００４２】
【発明の実施の形態】
本発明に係る画像形成装置について、フィルムの各コマに撮影された画像を読み取り、記録紙にプリントアウトするフィルム画像プリント装置を例に説明する。
【００４３】
図１は、フィルム画像プリント装置の第１実施形態のブロック構成図である。
【００４４】
同図に示すフィルム画像プリント装置１は、新写真システム（ＡＰＳ：Advanced Photo System）に適用されるフィルム５の各コマに撮影された画像を画像信号に光電変換して取り込み、その画像信号を用いて撮影画像を用紙にプリントアウトすることができるようになっている。
【００４５】
同図において、フィルム給送部２は、フィルム５の給送を行うものである。フィルム給送部２には、図略のフィルム給送ローラを駆動する駆動モータとこの駆動モータの駆動を制御するモータドライバとが含まれている。フィルム給送部２の駆動は、フィルム画像プリント装置１の画像読取動作を集中制御する制御部１８により制御される。フィルム給送部２は、装置本体のフィルム装填室に装填されたフィルムカートリッジ４からフィルム５を押し出して先頭コマを所定の画像読取位置に給送する（このフィルム給送をイニシャルローディングという。）とともに、操作部１９により指定されたコマの画像を取り込むべくそのコマを所定の画像読取位置まで給送する。また、操作部１９によりフィルムカートリッジ４のイジェクトが指示されると、フィルム５をフィルムカートリッジ４内に完全に収納する。
【００４６】
照明部３は、白色（Ｗｈ）、加色法における三原色の赤（Ｒ），緑（Ｇ），青（Ｂ）及び減色法における三原色のシアン（Ｃ），マゼンタ（Ｍ），イエロー（Ｙ）の合計７色の色が発光可能になされ、フィルム５のネガ／ポジの種類に応じた所定の色で所定の画像読取位置に給送されたコマを所定の照度で照明するものである。
【００４７】
図２は、第１の実施形態に係る照明部３の構成を示す図である。
【００４８】
同図に示す照明部３は、白色光源３０１と透明板３０２a及びＲ，Ｇ，Ｂ，Ｃ，Ｍ，Ｙの色フィルタ３０２ｂ〜３０２ｇが円板状のベースにターレット状に配列されたフィルタ部材３０２とこのフィルタ部材３０２を回転駆動するステップモータからなる駆動部材３０３とこのフィルタ部材３０２の回転位置（色フィルタの設定）を検出するフォトリフレクタ等の位置検出センサ３０４とから構成され、透明板３０２ａ又は色フィルタ３０２ｂ〜３０２ｇのいずれかを白色光源３０１とフィルム５との間で切換設定することにより、フィルム５をＷｈ，Ｒ，Ｇ，Ｂ，Ｃ，Ｍ，Ｙのいずれかの色で照明できるようになっている。なお、本実施の形態では透明板３０２aを設けているが、透明板３０２aに代えて白色光透過用の窓のみを設けてもよい。
【００４９】
白色光源３０１は、例えば白色蛍光ランプを備え、この白色蛍光ランプからの発光を反射傘でフィルム５側に反射するとともに、拡散板で照度分布を均一にしてフィルム５に照射するように構成されている。また、フィルタ部材３０２の切換設定は駆動部材３０３の駆動を制御することにより行なわれ、制御部１８は位置検出センサ３０４からの検出信号に基づいて駆動部材３０３の駆動量を制御することによりフィルタ部材３０２の切換設定を行う。なお、光源としてＸｅ管等の白色放電管を用いてもよい。
【００５０】
図３は、第２の実施形態に係る照明部の概略構成を示す図である。
【００５１】
同図に示す照明部３′は、Ｒ，Ｇ，Ｂの各色を発光する複数個のＬＥＤ（light emitting diode）３０１ａ′を隣接するＲ，Ｇ，Ｂの各色がデルタ形となるように配列してなる光源３０１′と拡散板３０５とで構成したものである。第２の実施形態に係る照明部３′は、全てのＬＥＤ３０１ａ′を略同一の強度で発光することにより白色光が発光され、Ｇの色のＬＥＤ３０１ａ′とＢの色のＬＥＤ３０１ａ′を略同一の強度で発光することによりＣの色の光が、Ｂの色のＬＥＤ３０１ａ′とＲの色のＬＥＤ３０１ａ′を略同一の強度で発光することによりＭの色の光が、また、Ｒの色のＬＥＤ３０１ａ′とＧの色のＬＥＤ３０１ａ′を略同一の強度で発光することによりＹの色の光が発光される。
【００５２】
図４は、第３の実施形態に係る照明部の概略構成を示す図である。
【００５３】
同図に示す照明部３″は、Ｒ，Ｇ，Ｂの各色の複数個のＬＥＤ３０１ａ″がＲ，Ｇ，Ｂの順にサイクリックに繰り返されて一列に配列された光源３０１″と光源３０１″からの各色の光をフィルム５側に導く導光板３０６と拡散板３０５とから構成したものである。導光板３０６は板状の光学部材からなり、一側面３０６ａに光の入射面が形成され、この入射面３０６ａに直交する一方の平板面３０６ｂに光の出射面が形成されている。出射面３０６ｂに対向する他方の平板面３０６ｃは、入射面３０６ａからこれに対向する他方の側面３０６ｄに向かって先窄まりとなるように所定の角度で傾斜されており、入射面３０６ａから入射された光は当該平板面３０６ｃで反射されて出射面３０６ｂから出射されるようになっている。
【００５４】
第３の実施形態に係る照明部３″も全てのＬＥＤ３０１ａ″を略同一の強度で発光することにより白色光が発光される。すなわち、光源３０１″の全てのＬＥＤ３０１ａ″を略同一の強度で発光させると、Ｒ，Ｇ，Ｂの各色の光は導光板３０６で混合されつつ平板面３０６ｃから出射され、更に拡散板３０５で拡散（均一に混合）されてフィルム５に白色光が照射される。また、Ｇの色のＬＥＤ３０１ａ″とＢの色のＬＥＤ３０１ａ″を略同一の強度で発光することによりＣの色の光が、Ｂの色のＬＥＤ３０１ａ′とＲの色のＬＥＤ３０１ａ′を略同一の強度で発光することによりＭの色の光が、また、Ｒの色のＬＥＤ３０１ａ′とＧの色のＬＥＤ３０１ａ′を略同一の強度で発光することによりＹの色の光が発光される。
【００５５】
図１に戻り、フィルム情報読取部６は、フィルムカートリッジ４に収納されたフィルム５に関する情報（フィルム撮影枚数、ＩＳＯ感度、カラー／モノクロ、ネガ／ポジ等の情報。以下、フィルム情報という。）を読み取るものである。フィルムカートリッジ４の一方端部にはフィルム情報がバーコードで記録されたコード板がスプールと一体回転可能に設けられており、フィルム情報読取部６は、フィルムカートリッジ４のスプールを回転させてフィルム５をカートリッジから引き出し、フィルム給送ローラに巻き付けるイニシャルローディングの際にコード板に記録されたバーコードを読み取る。すなわち、フィルム情報読取部６はフォトリフレクタ等の光センサで構成され、イニシャルローディング時にコード板の回転により光センサをバーコードに対して相対走査させて読み取り、制御部１８に出力する。制御部１８では、フィルム情報読取部６から入力されるコード信号をデコードしてフィルム情報の内容が解読され、図略のメモリに格納される。
【００５６】
また、磁気情報読取部７は、フィルム５の磁気記録部に磁気的に記録された撮影に関する情報（撮影情報、露出条件、撮影倍率等の情報。以下、Ｉｘデータという。）の読み取り又は書き込みを行うものである。なお、磁気記録部は、フィルム５の各コマ毎にそのコマ位置に平行して設けられた帯状の記録部である。磁気情報読取部７は磁気ヘッド及びこの磁気ヘッドで検出された信号をＩｘデータに変換し又は書き込むべきＩｘデータを磁気ヘッドの駆動信号に変換する信号処理回路を備えている。磁気情報読取部７の駆動も制御部１８により制御され、磁気情報読取部７はフィルム５を給送することで磁気ヘッドを各コマの磁気記録部に対して相対的に移動させ、これにより各コマのＩｘデータの読み取り又は書き込みを行う。読み取られたＩｘデータは制御部１８に入力され、それをデコードして磁気情報の内容が解読され、図略のメモリに格納される。
【００５７】
撮影レンズ８は、フィルム５の各コマの画像を撮像素子９の撮像面に結像するものである。撮像素子９は、フィルム５の各コマの画像（光像）を画像信号に光電変換して取り込む光電変換素子である。本実施の形態では、カラーフィルムに撮影されたカラー画像を読み取るに当たり、Ｒ，Ｇ，Ｂの光源若しくはＣ，Ｍ，Ｙの光源を用いて三原色の成分色の照明をすることでカラー画像を色成分の光像に分解するようにしているので、撮像素子９は、複数の画素をマトリックス状に配置してなるモノクロームタイプのＣＣＤエリアセンサで構成されている。従って、カラー画像を読み取るときは、少なくとも３種類の色の照明光を切り換えてフィルム５を照明し、撮像素子９で撮像動作が３回行なわれる。
【００５８】
アナログプロセス回路１０は、ＣＤＳ回路（Correlative Double Sampling）回路及びアナログアンプを有し、撮像素子９（以下、ＣＣＤ９という。）から出力される画像信号（アナログ信号）のサンプリングノイズの低減やレベル調整等の所定のアナログ信号処理を行うものである。アナログプロセス回路１０は、Ｒ，Ｇ，Ｂの各色成分の画像信号毎にアナログ信号処理を行う。
【００５９】
Ａ／Ｄ変換回路１１は、アナログプロセス回路１０から出力される画像信号を、例えば１０ビット構成のデジタル信号からなる画像信号（以下、画像データという。）に変換するものである。
【００６０】
タイミングジェネレータ（Ｔ・Ｇ）１２は、ＣＣＤ９の撮像動作（電荷蓄積動作）を制御する制御信号を生成するとともに、ＣＣＤ９、アナログプロセス回路１０、Ａ／Ｄ変換回路１１及び画像処理部１３の信号処理に対するタイミング信号を生成するものである。タイミングジェネレータ１２は、基準クロック発生回路を有し、この基準クロック発生回路で発生した基準クロックに基づいてＣＣＤ９の駆動制御信号とタイミング信号とを生成し、それぞれＣＣＤ９、アナログプロセス回路１０、Ａ／Ｄ変換回路１１及び画像処理部１３に出力する。
【００６１】
ＣＣＤ９では、タイミングジェネレータ１２から入力される駆動制御信号に基づいてコマ画像の撮像が行われる。また、ＣＣＤ９、アナログプロセス回路１０、Ａ／Ｄ変換回路１１及び画像処理部１３ではタイミングジェネレータ１２から入力されるタイミング信号に基づいてＣＣＤ９からの画像信号の読出し、アナログ信号処理、Ａ／Ｄ変換及びデジタル信号処理（後述）の一連の信号処理が行われる。
【００６２】
画像処理部１３は、Ａ／Ｄ変換回路１１から入力され画像データに対してホワイトバランス（ＷＢ）調整、階調（γ）補正等の所定のデジタル信号処理を行うものである。また、画像処理部１３にはネガ／ポジ反転処理部１３１が設けられ、画像データの明暗を反転するとともに、カラー画像の場合、色相を補色に反転する処理を行うものである。ネガ／ポジ反転処理は、制御部１８からの反転指令に従って行なわれ、非反転が指示されていると、画像処理部１３ではＷＢ調整後に反転処理を行うことなくγ補正が行われ、制御部１８から反転処理が指示されていると、画像処理部１３では、下記表１のように、ＷＢ調整後の画像データの明暗及び色相が反転される。
【００６３】
【表１】
0003750429.tif 000002
【００６４】
従って、画像処理部１３では、Ａ／Ｄ変換回路１１から入力された画像データはＲ，Ｇ，Ｂ若しくはＣ，Ｍ，Ｙの色成分毎にＷＢ調整され、反転指示がされているときはネガ／ポジ反転処理が行われ、また、非反転指示がされているときはネガ／ポジ反転処理が行われることなく、所定のガンマ特性に従って階調補正が行われる。
【００６５】
画像メモリ１４は、画像処理部１３から出力される画像データを記憶するメモリである。画像メモリ１４は、内部に少なくとも各色成分毎にフレーム画像１枚分の画像データを記憶し得る容量を有している。メモリコントローラ１５は、画像メモリ１５への画像データの書込／読出を制御するものである。
【００６６】
Ｄ／Ａ変換回路１６は、フィルム画像をプリンタ部１７で記録紙にプリントアウトする当たり、画像メモリ１４から読み出された画像データをアナログ信号にＤ／Ａ変換してプリンタ部１７に入力するものである。
【００６７】
プリンタ部１７は、フィルム画像を記録紙にプリントアウトするものである。プリンタ部１７は、熱転写方式のプリンタからなり、画像データに基づいてプリンタヘッド１７４の駆動を行なうヘッド駆動部１７１、記録紙Ｐの給送を行う記録紙給送部１７２、インクリボン１７３ｄを給送するインクリボン給送部１７３及びインクリボン１７３ｄのインクを記録紙Ｐに熱転写するプリンタヘッド１７４を有し、制御部１８からの制御信号に基づき画像メモリ１４から出力される画像データに基づき、普通紙等の記録紙Ｐに画像を形成する。
【００６８】
記録紙給送部１７２は、記録紙Ｐを給送する給紙ドラム１７２ａ、この給紙ドラム１７２ａを回転駆動するドラムモータ１７２ｂ及びこのドラムモータ１７２ｂの駆動を制御するモータ制御回路１７２ｃから構成されている。
【００６９】
また、インクリボン給送部１７３は、インクリボン１７３ｄを給送する一対の給紙ローラ１７３ａ、この給紙ローラ１７３aを回転駆動するモータ１７３ｂ及びこのモータ１７３ｂの駆動を制御するモータ制御回路１７３ｃから構成されている。インクリボン１７３ｄは、Ｃ，Ｍ，Ｙ，Ｋの色のインクが所定長ずつ循環させて塗布されたリボンで、Ｃ，Ｍ，Ｙ，Ｋの順にプリンタヘッド１７４に給送され、対応する色成分の画像データに基づいてプリンタヘッド１７４を駆動することにより記録紙Ｐに色成分毎に像形成できるようになっている。
【００７０】
プリンタヘッド１７４は、例えば１ライン乃至数ライン分のドット印字部を有し、記録紙Ｐに１ライン乃至数ライン単位でインクリボン１７３ｄのインクを熱転写させて画像を形成するものである。ＣＣＤ９で読み取られたフィルム画像は、画像メモリ１４から１ライン乃至数ライン単位で画像データを出力し、Ｄ／Ａ変換回路１６でＤ／Ａ変換した後、プリンタ部１７に入力し、この画像データに基づいてプリンタ部１７を駆動することで記録紙Ｐに像形成される。
【００７１】
プリンタ部１７に入力された画像データは、ヘッド駆動部１７１内のバッファに一時、保存される。このバッファから画像データを読み出す一方、この画像データの読出しに同期して給紙ドラム１７２ａに装填されたロールシート若しくはカットシートの記録紙Ｐの給送とインクリボン１７３ｄの給送とを行うとともに、プリンタヘッド１７４によりインクリボン１７３ｄを記録紙Ｐに押圧し、これによりインクリボン１７３ｄのインクを記録紙Ｐに転写して画像が形成される。そして、Ｃ，Ｍ，Ｙ，Ｋの色成分毎にライン単位の像形成と記録紙Ｐの給送とを交互に繰り返して記録紙Ｐに画像が形成され、全ての色成分の画像形成が完了すると、フィルム画像のプリントアウトが終了する。
【００７２】
なお、本実施形態では、熱転写方式のシリアルプリンタを示したが、ページプリンタでも、昇華方式のプリンタでもよく、インクジェット式のプリンタを用いてもよい。
【００７３】
制御部１８は、フィルム画像の読取り及び記録紙へのプリントアウトの動作を統括制御するものである。制御部１８はマイクロコンピュータからなり、光源３の発光、フィルム５の給送、ＣＣＤ９の撮像動作、ＣＣＤ９からの出力信号に対するアナログプロセス回路１０〜画像メモリ１４の信号処理及びプリンタ部１７における画像形成の一連の処理を制御する。制御部１８は、内部にフィルム判別部１８１を備え、フィルム情報読取部６から入力されるフィルム情報に基づいてフィルム５の種類、特にカラーネガ、カラーポジ、モノクロームネガの判別を行う。この情報は、照明部３の発光色の設定及び画像処理部１３でのネガ／ポジ反転の有無の制御に利用される。
【００７４】
操作部１９は、電源のＯＮ／ＯＦＦ、カートリッジ４のイジェクト、画像データを取り込むコマ番号の指定、フィルム画像をモノクローム画像に変換して出力させるためのモノクロ出力の設定等の各種のフィルム画像読取装置１に関する操作を入力するものである。
【００７５】
なお、本実施の形態では、フィルム５のカラーネガ／カラーポジ／モノクロームネガの種類をフィルム情報に基づいて自動設定するようにしているが、操作部１９からマニュアル設定するようにしてもよい。
【００７６】
次に、フィルム画像プリント装置１のフィルム画像の読取り及び記録紙へのプリントの制御について説明する。
【００７７】
表２は、フィルムの陰陽の種類、照明光の色及びネガ／ポジ反転処理の関係を示したものである。
【００７８】
【表２】
0003750429.tif 000003
【００７９】
同表において、Ｎｏ．１，Ｎｏ．３は、カラー画像をモノクロ画像でプリントする場合であり、カラーポジフィルムの場合は、モノクロームネガフィルムの画像をプリントする場合と同一の処理となる。また、カラー画像をカラー画像でプリントする場合は、本実施の形態ではプリンタ部１７がＣ，Ｍ，Ｙ，Ｋの色成分でカラー画像を印字するように構成しているので、カラーネガフィルムに対してはＲ，Ｇ，Ｂ，Ｗｈの４種類の照明光を用いてＲ，Ｇ，Ｂ，Ｋのネガ信号を取り込み、カラーポジフィルムに対してはＣ，Ｍ，Ｙ，Ｗｈの４種類の照明光を用いてＣ，Ｍ，Ｙ，Ｋのポジ信号を取り込むようにしているが（Ｎｏ．２，Ｎｏ．４参照）、プリンタ部１７がＣ，Ｍ，Ｙの色成分でカラー画像を印字するように構成されている場合は、Ｗｈの照明光を用いたフィルム画像の読取りは省略することができる。
【００８０】
図５〜図７は、第１実施形態に係るフィルム画像プリント装置１のフィルム画像の読取り及び記録紙へのプリントの制御を示すフローチャートである。
【００８１】
同図に示すフローチャートは、フィルム５に撮影された全てのフィルム画像を順次、読み取って記録紙にプリントアウトする場合の処理手順で、上記表２のＮｏ．２，４，５に対応する処理手順である。
【００８２】
なお、同フローチャートには表２のＮｏ．１，Ｎｏ．３に相当する処理は含まれていないが、これらのケースはユーザによってカラー画像が意図的にモノクローム画像に変換されて記録紙にプリントアウトされるケースであるから、処理手順の複雑さ、煩雑さを回避するため省略したものである。
【００８３】
Ｎｏ．１に対応する処理は、フィルム５がカラーネガフィルムのとき、操作部１９からカラー画像をモノクローム画像に変換して出力する指示がなされているか否かを判別し、その指示がされている場合、後述するＮｏ．５に対応する処理（ステップ＃６３〜＃８１）と同一の手順で行われる。また、Ｎｏ．３に対応する処理は、フィルム５がカラーポジフィルムのとき、操作部１９からカラー画像をモノクローム画像に変換してプリントする指示がなされているか否かを判別し、その指示がされている場合、ステップ＃６５でネガ／ポジ反転を「無し」とし、ステップ＃７１の画像データの信号処理でネガ／ポジ反転をしないようにする点を除いて、Ｎｏ．５に対応する処理（ステップ＃６３〜＃８１）と同一の手順で行われる。
【００８４】
また、このフローチャートでは、全コマのフィルム画像を自動的に読み取って記録紙にプリントアウトするようにしているが、操作部１９から入力される特定のコマについてのみフィルム画像をプリントアウトするようにしてもよい。
【００８５】
図５〜図７のフローチャートにおいて、電源をオンにしてフィルム画像読取装置１を起動し（＃１）、フィルムカートリッジ４が装填されると、フィルム５のイニシャルローディングが行われ、このとき、フィルム情報読取装置６によりフィルム情報が読み取られ（＃３）、このフィルム情報からフィルム５の種類が判別される（＃５，＃６１）。
【００８６】
フィルム５がカラーネガフィルムであると（＃５でＹＥＳ）、ステップ＃７に移行し、表２のＮｏ．２の処理が行われる（＃７〜＃５９）。すなわち、照明部３の発光色がＷｈ（白色）と加色法の三原色であるＲ，Ｇ，Ｂに設定され（＃７）、画像処理部１３におけるネガ／ポジ反転処理が「有り」に設定される（＃９）。続いて、先頭コマを所定の撮像位置に設定するべくフィルム５が給送され（＃１１）、このフィルム給送の間にフィルタ部材３０２のカラーフィルタをＲ，Ｇ，Ｂの順に順次、切り換えてフィルム５の引き出し部分（オレンジベースの部分）がＣＣＤ９でそれぞれ撮像され、これらの撮像画像を用いて画像処理部１３におけるＷＢ調整用のデータ（各色成分の画像データのレベルを調整するためのゲインデータ）が算出される（＃１３）。なお、本実施の形態では画像処理部１３でＷＢ調整するようにしているので、ＷＢ調整データとしてゲインデータを算出するようにしているが、各色成分毎に画像信号を取り込む際のＣＣＤ９の露光時間を調整することによりＷＢ調整された画像信号を取り込むことも可能で、この方法を採用した場合は、ＷＢ調整データとしてホワイトバランスで適正となる各色成分毎の露光時間が算出される。また、露光時間と画像データのレベル補正の両方を組み合わせてＷＢ調整を行うようにしてもよい。
【００８７】
先頭コマが所定の撮像位置に設定されると、フィルタ部材３０２が赤のカラーフィルタ３０２ｂに切換設定され、先頭コマが照明部３からの赤色の光で照明される。そして、この照明により形成される赤の色成分の光像がＣＣＤ９で画像信号に光電変換されて取り込まれる（＃１５）。
【００８８】
ＣＣＤ９で取り込まれた画像信号（赤の色成分のネガ画像信号）は、アナログプロセス回路１０に読み出され、ノイズ低減やレベル調整等の所定のアナログ信号処理が行われた後、Ａ／Ｄ変換回路１１でデジタルの画像データに変換されて画像処理部１３に入力され、更にこの画像処理部１３でＷＢ調整、γ補正等の所定のデジタル信号処理が行われる。このデジタル信号処理ではネガ／ポジ反転処理も行われ、赤の色成分のネガ画像データは、赤の補色であるシアンの色成分に変換されるとともに、ポジ画像データに変換される（＃１７）。従って、Ｒの色成分のネガ画像データは、画像処理部１３でＣの色成分のポジ画像データ（以下、Ｃポジデータという。）に反転されて画像メモリ１４に一旦、記憶される（＃１９）。続いて、Ｃポジデータは所定のタイミングで画像メモリ１４から読み出され、Ｄ／Ａ変換回路１６でアナログデータに変換された後、プリンタ部１７に出力される（＃２１）。
【００８９】
Ｃポジデータは、１ライン乃至数ライン単位で順次プリンタ部１７に出力され、このデータに基づいてプリンタヘッド１７４を駆動することによりインクリボン１７３ｄのＣの色のインクが記録紙Ｐに転写されてＣの色成分の画像が当該記録紙Ｐにプリントアウトされる（＃２３）。
【００９０】
続いて、フィルタ部材３０２が緑のカラーフィルタ３０２ｃに切り換えられ、先頭コマが照明部３からの緑色の光で照明される。そして、この照明により形成される緑の色成分の光像がＣＣＤ９で画像信号に光電変換されて取り込まれる（＃２５）。
【００９１】
ＣＣＤ９で取り込まれた画像信号（緑の色成分のネガ画像信号）についても上述した赤の色成分のネガ画像信号と同様の所定のアナログ信号処理とデジタル信号処理とが行われ、このデジタル信号処理で緑の補色であるマゼンタの色成分の画像データ（以下、Ｍポジデータという。）に反転されて画像メモリ１４に一旦、記憶される（＃２７，＃２９）。そして、Ｍポジデータは所定のタイミングで画像メモリ１４から読み出され、Ｄ／Ａ変換回路１６でアナログデータに変換された後、プリンタ部１７に出力され（＃３１）、当該プリンタ部１７でＭの色成分の画像がＣの色成分の画像が形成された記録紙Ｐに重ねてプリントアウトされる（＃３３）。
【００９２】
続いて、フィルタ部材３０２が青のカラーフィルタ３０２ｄに切り換えられ、先頭コマが照明部３からの青色の光で照明される。そして、この照明により形成される青の色成分の光像がＣＣＤ９で画像信号に光電変換されて取り込まれる（＃３５）。
【００９３】
ＣＣＤ９で取り込まれた画像信号（青の色成分のネガ画像信号）についても上述した赤の色成分のネガ画像信号と同様の所定のアナログ信号処理とデジタル信号処理とが行われ、このデジタル信号処理で青の補色であるイエローの色成分の画像データ（以下、Ｙポジデータという。）に反転されて画像メモリ１４に一旦、記憶される（＃３７，＃３９）。そして、Ｙポジデータは所定のタイミングで画像メモリ１４から読み出され、Ｄ／Ａ変換回路１６でアナログデータに変換された後、プリンタ部１７に出力され（＃４１）、当該プリンタ部１７でＹの色成分の画像がＣ，Ｍの色成分の画像が形成された記録紙Ｐに重ねてプリントアウトされる（＃４３）。
【００９４】
続いて、フィルタ部材３０２が透明板３０２ａに切り換えられ、先頭コマが照明部３からの白色光で照明される。そして、この照明により形成される光像がＣＣＤ９で画像信号に光電変換されて取り込まれ（＃４５）、その画像信号（輝度成分のネガ画像信号）についても上述した赤の色成分のネガ画像信号と同様の所定のアナログ信号処理とデジタル信号処理とが行われ、このデジタル信号処理で輝度成分のポジ画像データ（以下、Ｋポジデータという。）に反転されて画像メモリ１４に一旦、記憶される（＃４７，＃４９）。
【００９５】
そして、Ｋポジデータは所定のタイミングで画像メモリ１４から読み出され、Ｄ／Ａ変換回路１６でアナログデータに変換された後、プリンタ部１７に出力され（＃５１）、当該プリンタ部１７で黒（Ｋ）の色成分の画像がＣ，Ｍ，Ｙの色成分の画像が形成された記録紙Ｐに重ねてプリントアウトされ（＃５３）、これによりフィルム画像の記録紙Ｐへのプリントアウトを完了する。
【００９６】
続いて、最終コマのフィルム画像の読取りが終了したか否かが判別され（＃５５）、終了していなければ（＃５５でＮＯ)、次のコマを所定の撮像位置に設定するべくフィルム５が給送され（＃５７）、次のコマが所定の撮像位置に設定されると、ステップ＃１５に戻り、上述した手順と同様の手順で次のコマのフィルム画像がＲ，Ｇ，Ｂ，輝度の色成分に分離して順次、読み取られ、Ｃ，Ｍ，Ｙ，Ｋのポジデータに変換されてプリンタ部１７に出力され、各色成分の画像が記録紙Ｐに形成される（＃１５〜＃５３）。
【００９７】
そして、以下同様に各コマのフィルム画像が読み取られ（＃１５〜＃５３のループ）、全てのコマのフィルム画像の読取り及びプリントアウトが終了すると（＃５５でＹＥＳ）、フィルム５がフィルムカートリッジ４内に巻き戻され、イジェクト可能にして処理を終了する（＃５９）。なお、全コマの読取終了は、フィルム画像の読取枚数をカウントし、このカウント値とフィルムカートリッジ４から読み取られたフィルム情報に含まれるフィルム撮影枚数とを比較することにより判別される。
【００９８】
本実施の形態では、Ｃ，Ｍ，Ｙ，Ｋの各ポジデータを順次、プリンタ部１７に出力するようにしているが、これは画像メモリ１４の記憶容量をできる限り低減し、装置の低廉化を図ることを考慮したもので、全ての色のポジデータを得た後、画像メモリ１４から順次、各色成分のポジデータをプリンタ部１７に出力して記録紙Ｐに画像を形成するようにしてもよい。
【００９９】
フィルム５がモノクロームフィルムであると（＃６１でＹＥＳ）、ステップ＃６３に移行し、表２のＮｏ．５の処理が行われる（＃６３〜＃８１）。すなわち、照明部３の発光色が白色に設定され（＃６３）、画像処理部１３におけるネガ／ポジ反転処理が「有り」に設定される（＃６５）。続いて、フィルム５を給送して先頭コマが所定の撮像位置に設定され（＃６７）、フィルタ部材３０２が透明板３０２ａに切換設定されて先頭コマが照明部３からの白色光で照明される。
【０１００】
そして、この照明により形成される光像がＣＣＤ９で画像信号に光電変換されて取り込まれ（＃６９）、その画像信号は、アナログプロセス回路１０に読み出され、ノイズ低減やレベル調整等の所定のアナログ信号処理が行われた後、Ａ／Ｄ変換回路１１でデジタルの画像データに変換されて画像処理部１３に入力され、更にこの画像処理部１３でγ補正等の所定のデジタル信号処理が行われる。このデジタル信号処理では、画像データが輝度データのみであるからＷＢ調整は行われないが、ネガ／ポジ反転処理は行われ、輝度成分のポジ画像データに変換される（＃７１）。従って、輝度成分のネガ画像データは、画像処理部１３でポジ画像データ（以下、輝度ポジデータという。）に反転されて画像メモリ１４に一旦、記憶される（＃７３）。
【０１０１】
続いて、輝度ポジデータは所定のタイミングで画像メモリ１４から読み出され、Ｄ／Ａ変換回路１６でアナログデータに変換された後、プリンタ部１７に出力され（＃７５）、当該プリンタ部１７でモノトーンの画像が記録紙Ｐにプリントアウトされる（＃７７）。
【０１０２】
続いて、最終コマのフィルム画像の読取りが終了したか否かが判別され（＃７９）、終了していなければ（＃７９でＮＯ)、次のコマのフィルム画像を読み取るべくステップ＃６７に戻り、フィルム５を給送して次のコマが所定の撮像位置に設定される（＃６７）、次のコマが所定の撮像位置に設定されると、上述した手順と同様の手順で次のコマのフィルム画像が読み取られ、輝度ポジデータに変換されてプリンタ部１７に出力され、モノトーンの画像が記録紙Ｐに形成される（＃６７〜＃７７）。
【０１０３】
そして、以下同様に各コマのフィルム画像が読み取られ（＃６７〜＃７９のループ）、全てのコマのフィルム画像の読取り及びプリントアウトが終了すると（＃７９でＹＥＳ）、フィルム５がフィルムカートリッジ４内に巻き戻され、イジェクト可能にして処理を終了する（＃８１）。
【０１０４】
フィルム５がカラーポジフィルムであると（＃６１でＮＯ）、ステップ＃８３に移行し、表２のＮｏ．４の処理が行われる（＃８３〜＃１２７）。すなわち、照明部３の発光色がＷｈ（白色）と減色法の三原色であるＣ，Ｍ，Ｙに設定され（＃８３）、画像処理部１３におけるネガ／ポジ反転処理が「無し」に設定される（＃８５）。続いて、先頭コマを所定の撮像位置に設定するべくフィルム５が給送される（＃８７）。
【０１０５】
先頭コマが所定の撮像位置に設定されると、フィルタ部材３０２がシアンのカラーフィルタ３０２ｅに切換設定され、先頭コマが照明部３からのシアン色の光で照明される。そして、この照明により形成されるシアンの色成分の光像がＣＣＤ９で画像信号に光電変換されて取り込まれる（＃８９）。
【０１０６】
ＣＣＤ９で取り込まれた画像信号（シアンの色成分のポジ画像信号）は、アナログプロセス回路１０に読み出され、ノイズ低減やレベル調整等の所定のアナログ信号処理が行われた後、Ａ／Ｄ変換回路１１でデジタルの画像データ（Ｃポジデータ）に変換されて画像処理部１３に入力され、更にこの画像処理部１３でＷＢ調整、γ補正等の所定のデジタル信号処理が行われる。このデジタル信号処理ではネガ／ポジ反転処理は行わず、Ｃポジデータはそのまま画像メモリ１４に一旦、記憶され（＃９１）、所定のタイミングで画像メモリ１４から読み出され、Ｄ／Ａ変換回路１６でアナログデータに変換された後、プリンタ部１７に出力される（＃９３）。
【０１０７】
そして、このＣポジデータに基づいてプリンタヘッド１７４を駆動することによりインクリボン１７３ｄのＣの色のインクが記録紙Ｐに転写されてＣの色成分の画像が当該記録紙Ｐにプリントアウトされる（＃９５）。
【０１０８】
続いて、フィルタ部材３０２がマゼンタのカラーフィルタ３０２ｆに切り換えられ、先頭コマが照明部３からのマゼンタ色の光で照明される。そして、この照明により形成されるマゼンタの色成分の光像がＣＣＤ９で画像信号に光電変換されて取り込まれる（＃９７）。
【０１０９】
ＣＣＤ９で取り込まれた画像信号（マゼンタの色成分のポジ画像信号）についても上述したシアンの色成分のポジ画像信号と同様の所定のアナログ信号処理とデジタル信号処理とが行われ、Ｍポジデータはネガ／ポジ反転が行われることなくそのまま画像メモリ１４に一旦、記憶される（＃９９）。そして、Ｍポジデータは所定のタイミングで画像メモリ１４から読み出され、Ｄ／Ａ変換回路１６でアナログデータに変換された後、プリンタ部１７に出力され（＃１０１）、このＭポジデータに基づいてプリンタヘッド１７４を駆動することによりインクリボン１７３ｄのＭの色のインクが記録紙Ｐに転写されてＭの色成分の画像がＣの色成分の画像が形成された当該記録紙Ｐに重ねてプリントアウトされる（＃１０３）。
【０１１０】
続いて、フィルタ部材３０２がイエローのカラーフィルタ３０２ｇに切り換えられ、先頭コマが照明部３からの黄色の光で照明される。そして、この照明により形成されるイエローの色成分の光像がＣＣＤ９で画像信号に光電変換されて取り込まれる（＃１０５）。
【０１１１】
ＣＣＤ９で取り込まれた画像信号（イエローの色成分のポジ画像信号）についても上述したシアンの色成分のポジ画像信号と同様の所定のアナログ信号処理とデジタル信号処理とが行われ、Ｙポジデータはネガ／ポジ反転が行われることなくそのまま画像メモリ１４に一旦、記憶される（＃１０７）。そして、Ｙポジデータは所定のタイミングで画像メモリ１４から読み出され、Ｄ／Ａ変換回路１６でアナログデータに変換された後、プリンタ部１７に出力され（＃１０９）、このＹポジデータに基づいてプリンタヘッド１７４を駆動することによりインクリボン１７３ｄのＹの色のインクが記録紙Ｐに転写されてＹの色成分の画像がＣ，Ｍの色成分の画像が形成された当該記録紙Ｐに重ねてプリントアウトされる（＃１１１）。
【０１１２】
続いて、フィルタ部材３０２が透明板３０２ａに切り換えられ、先頭コマが照明部３からの白色光で照明される。そして、この照明により形成される光像がＣＣＤ９で画像信号に光電変換されて取り込まれ（＃１１３）、その画像信号（輝度成分のポジ画像信号）についても上述したシアンの色成分のポジ画像信号と同様の所定のアナログ信号処理とデジタル信号処理とが行われ、このデジタル信号処理で輝度成分のポジ画像データ（以下、Ｋポジデータという。）はそのまま画像メモリ１４に一旦、記憶される（＃１１５）。
【０１１３】
そして、Ｋポジデータは所定のタイミングで画像メモリ１４から読み出され、Ｄ／Ａ変換回路１６でアナログデータに変換された後、プリンタ部１７に出力され（＃１１７）、当該プリンタ部１７で黒（Ｋ）の色成分の画像がＣ，Ｍ，Ｙの色成分の画像が形成された記録紙Ｐに重ねてプリントアウトされ（＃１１９）、これによりフィルム画像の記録紙Ｐへのプリントアウトを完了する。
【０１１４】
続いて、最終コマのフィルム画像の読取りが終了したか否かが判別され（＃１２１）、終了していなければ（＃１２１でＮＯ)、ステップ＃８９に戻り、次のコマを所定の撮像位置に設定するべくフィルム５が給送され、次のコマが所定の撮像位置に設定されると、上述した手順と同様の手順で次のコマのフィルム画像がＣ，Ｍ，Ｙ，輝度の色成分に分離して順次、読み取られ、ネガポジ反転されることなくプリンタ部１７に出力され、各色成分の画像が記録紙Ｐに形成される（＃８７〜＃１１９）。
【０１１５】
そして、以下同様に各コマのフィルム画像が読み取られ（＃８７〜＃１２１のループ）、全てのコマのフィルム画像の読取り及びプリントアウトが終了すると（＃１２１でＹＥＳ）、フィルム５がフィルムカートリッジ４内に巻き戻され、イジェクト可能にして処理を終了する（＃１２３）。
【０１１６】
なお、上述の処理手順では、照明光の色をＲ→Ｇ→Ｂ→Ｗｈの順、Ｃ→Ｍ→Ｙ→Ｗｈの順に切り換えて順次、各色成分の画像データを取り込んでいたが、この照明光の色の切換順は任意であり、本実施形態の順番に限定されるものではない。
【０１１７】
上記のように、第１実施形態に係るフィルム画像プリント装置１においては、白色（Ｗｈ）、加色法の三原色であるＲ，Ｇ，Ｂ及び減色法の三原色であるＣ，Ｍ，Ｙの合計７色の色を発光することのできる照明部３と輝度及び色彩を反転するネガ／ポジ反転機能とを設け、フィルムの種類（カラーネガ／カラーポジ／モノクローム）に応じた適正な色で照明してフィルム画像を読み取るとともに、その読取画像をプリンタ部１７で記録紙Ｐにプリントアウトするようにしているので、色再現性の高いフィルム画像のプリント画像を得ることができる。
【０１１８】
図８は、フィルム画像プリント装置の第２実施形態のブロック構成図である。
【０１１９】
第２実施形態に係るフィルム画像プリント装置１′は、フィルム画像を読み取って外部接続されたパーソナルコンピュータに出力可能にしたものである。従って、図８は、図１において、パーソナルコンピュータ３０（以下、ＰＣ３０という。）が外部接続されるコネクタ２０（ケーブル接続端子）と画像メモリ１４に記憶された画像データのＰＣ３０への出力を制御する出力Ｉ／Ｏ２１とを追加的に設けたものである。また、画像処理部１３に画像データの画像圧縮部１３２を設け、画像データをＰＣ３０に出力する場合には、例えば画像データをＪＰＥＧ（Joint Photographic Coding Group）方式により圧縮して画像メモリ１４に出力するようにしている。
【０１２０】
ＰＣ３０の接続の有無は出力Ｉ／Ｏ２１により検出され、その検出情報は制御部１８に入力される。そして、出力Ｉ／Ｏ２１の駆動は制御部１８によりＰＣ３０の接続情報に基づいて制御される。すなわち、ＰＣ３０が接続されて交信状態のときは、フィルム画像の読取データの出力先はＰＣ３０が優先され、当該ＰＣ３０と交信しつつＰＣ３０からのコマンドに従って画像メモリ１４に記憶された画像データが出力Ｉ／Ｏ２１及びコネクタ２０を介してＰＣ３０に出力され、ＰＣ３０が接続されていないとき若しくは接続されているが交信状態にないときは、フィルム画像の読取データはプリンタ部１７に出力され、記録紙Ｐにプリントアウトされる。
【０１２１】
なお、ＰＣ３０の接続状態を検出することなく、操作部１９から画像データの出力先の優先順位をマニュアル設定できるようにしてもよく、あるいは通常はＰＣ３０の接続の有無に関わらず、フィルム画像のプリントアウトを優先させ、ＰＣ３０へのデータ出力をプリントアウトに優先させるときにのみ操作部１９からその指示を入力させるようにしてもよい。
【０１２２】
第２実施形態に係るフィルム画像プリント装置１′では、フィルム画像の読取データがＣＭＹの色成分で画像処理を行なうプリンタ部１７とＲＧＢの色成分で画像処理を行なうＰＣ３０とに選択的に出力されるので、フィルム画像の種類と読取データの出力先との組み合わせによってフィルム画像を読み取る色成分や画像信号のネガ／ポジ反転処理の有無が異なり、第１実施形態のようにフィルム５の種類だけで照明光の色を決定することはできない。
【０１２３】
表３は、フィルムの陰陽の種類、照明光の色及びネガ／ポジ反転処理の組み合わせによりフィルム画像読取装置１′で取り扱われる画像信号とプリンタ部１７及び外部接続されるＰＣ３０との関係を示したものである。
【０１２４】
【表３】
0003750429.tif 000004
【０１２５】
同表において、照明色の欄は、Ｒ，Ｇ，Ｂの単色光源を用いて所望の色を発光する場合のもので、例えば「白色（Ｒ＋Ｇ＋Ｂ）」は、Ｒ，Ｇ，Ｂの単色光を全て略同一の強度で発光させて白色光を発生することを示し、例えば「シアン（Ｇ＋Ｒ）」は、ＲとＧの単色光を略同一の強度で発光させてシアンの光を発生することを示している。本実施の形態のように白色光源とＲ，Ｇ，Ｂ，Ｃ，Ｍ，Ｙのカラーフィルタとを組み合わせて所望の色を発光させるようにしてもよい。
【０１２６】
「出力１」の欄は、ＣＣＤ９から出力されるフィルム画像の画像信号をネガ／ポジ反転処理を行うことなくそのまま出力した場合の出力信号の種類を示したものであり、「出力２」の欄は、ＣＣＤ９から出力されるフィルム画像の画像信号をネガ／ポジ反転処理を行って出力した場合の出力信号の種類を示したものである。両欄において、例えば「輝度ネガ」は明暗が被写体と逆になっている輝度信号を示し、例えば「Ｒネガ」は明暗が被写体と逆になっているＲ成分の画像信号を、また、「Ｒポジ」は明暗が被写体と同じになっているＲ成分の画像信号を示している。
【０１２７】
「出力先」の欄は、画像処理部１３から出力される画像信号と出力先（ＰＣ：パーソナルコンピュータ，ＰＲ：プリント部）との適合性を示したもので、○印は「適合」、×印は「不適合」を示している。また、△印は「条件付きの適合」を示し、具体的には色成分を補色に反転することにより適合することを示している。
【０１２８】
プリンタ部１７は、ＣＭＹＫのポジデータを用いてフィルム画像をプリントアウトするようになっているので、画像出力部１３からＣＭＹのポジデータが出力されないケースは不適合となっている。また、ＰＣ３０は、一般にＲＧＢのポジデータを用いて画像処理を行なうようになっているから、画像出力部１３からＲＧＢのポジデータが出力されないケースは原則として不適合となるが、ＰＣ３０に色反転機能がある場合は、それを条件として適合するものとなっている（Ｎｏ．２〜４，Ｎｏ．１２〜１４参照）。
【０１２９】
また、「白黒」はカラー画像の輝度成分のみが出力された場合（すなわち、カラー画像がモノクローム画像に変換されて出力された場合）、モノクローム画像として取扱可能であることを示している。Ｎｏ．１，８，１５のケースで、画像処理部１３から輝度ネガ信号で出力される場合は、出力画像の明暗が原画像の明暗と逆になるから、「×（取扱不可）」となっているが、輝度ポジ信号で出力される場合は、出力画像の明暗が原画像の明暗と同一となり、モノクローム画像として取扱可能であるから、「白黒」となっている。
【０１３０】
表２から明らかなように、Ｎｏ．１〜Ｎｏ．１５のケースにおいて、○印又は「白黒」が付された内容でフィルム画像の読取処理とその読取画像の画像処理とを行ってＰＣ３０への出力若しくはプリンタ部１７でのプリントアウトとを行なうようにすると、最も適した条件でフィルム画像の読取りから画像信号の出力を行うことができる。なお、△印が付された内容で処理することも可能であるが、その場合は、ＰＣ３０側に色反転の処理機能を有することが条件となる。
【０１３１】
そこで、第２実施の形態に係るフィルム画像プリント装置１′では、フィルムの種類と画像信号の出力先とに応じて表４に示すＮｏ．１〜Ｎｏ．７の内容でフィルム画像の読取りとその読取画像の信号処理とを行うようにしている。
【０１３２】
【表４】
0003750429.tif 000005
【０１３３】
なお、同表において、Ｎｏ．１，Ｎｏ．２，Ｎｏ．４，Ｎｏ．５，Ｎｏ．７はプリンタ部１７で記録紙Ｐにプリントアウトするケースであるから、それぞれ表２のＮｏ．１〜Ｎｏ．５と同一の内容となっている。
【０１３４】
次に、第２実施形態に係るフィルム画像プリント装置１′のフィルム画像の読取り及びＰＣ３０への画像データの出力制御について、図９〜図１１のフローチャートを用いて説明する。
【０１３５】
電源をオンにしてフィルム画像読取装置１を起動すると（＃１３１）、まず、ＰＣ３０の接続状態が検出され（＃１３３）、フィルムカートリッジ４が装填されると、フィルム５のイニシャルローディングが行われ、このとき、フィルム情報読取装置６によりフィルム情報が読み取られる（＃１３５）。
【０１３６】
続いて、コネクタ２０の接続状態とＰＣ３０との交信状態とからＰＣ３０が接続されているか否かが判別され（＃１３７）、ＰＣ３０が接続されていなければ（＃１３７でＮＯ）、ステップ１３９に移行し、フィルム画像を読み取って記録紙Ｐにプリントアウトされる。このフィルム画像の読取り及びプリントアウトの処理は、上述した図５〜図７に示すフローチャートの処理手順に従って行われる。
【０１３７】
一方、ＰＣ３０が接続されていれば（＃１３７でＹＥＳ）、ステップ＃１４１に移行し、フィルム画像を読み取ってＰＣ３０に出力する処理が行なわれる（＃１４１〜＃２３１）。
【０１３８】
ステップ＃１４１に移行すると、フィルム情報からフィルム５の種類が判別され（＃１４１，＃１８１）、フィルム５がカラーネガフィルムであると（＃１４１でＹＥＳ）、ステップ＃１４３に移行し、表４のＮｏ．３の処理が行われる（＃１４３〜＃１７９）。
【０１３９】
すなわち、照明部３の発光色がＣ，Ｍ，Ｙに設定され（＃１４３）、画像処理部１３におけるネガ／ポジ反転処理が「有り」に設定される（＃１４５）。続いて、先頭コマを所定の撮像位置に設定するべくフィルム５が給送され（＃１４７）、このフィルム給送の間にフィルタ部材３０２のカラーフィルタをＣ，Ｍ，Ｙの順に順次、切り換えてフィルム５の引き出し部分（オレンジベースの部分）がＣＣＤ９でそれぞれ撮像され、これらの撮像画像を用いて画像処理部１３におけるＷＢ調整用のデータが算出される（＃１４９）。
【０１４０】
先頭コマが所定の撮像位置に設定されると、フィルタ部材３０２がシアンのカラーフィルタ３０２ｅに切換設定され、先頭コマが照明部３からのシアン色の光で照明される。そして、この照明により形成されるシアンの色成分の光像がＣＣＤ９で画像信号に光電変換されて取り込まれる（＃１５１）。
【０１４１】
ＣＣＤ９で取り込まれた画像信号（シアンの色成分のネガ画像信号）は、アナログプロセス回路１０に読み出され、ノイズ低減やレベル調整等の所定のアナログ信号処理が行われた後、Ａ／Ｄ変換回路１１でデジタルの画像データに変換されて画像処理部１３に入力され、更にこの画像処理部１３でＷＢ調整、γ補正、画像圧縮等の所定のデジタル信号処理が行われる。このデジタル信号処理ではネガ／ポジ反転処理も行われ、シアンの色成分のネガ画像データは、シアンの補色である赤の色成分に変換されるとともに、ポジ画像データに変換される（＃１５３）。従って、Ｃのネガ画像データは、画像処理部１３でＲのポジ画像データ（以下、Ｒポジデータという。）に反転されるとともに、所定の圧縮率で圧縮されて画像メモリ１４に一旦、記憶され（＃１５５）、出力Ｉ／Ｏ２１により所定のタイミングで画像メモリ１４から読み出されてＰＣ３０に出力される（＃１５７）。
【０１４２】
続いて、フィルタ部材３０２がイエローのカラーフィルタ３０２ｇに切り換えられ、先頭コマが照明部３からの黄色の光で照明される。そして、この照明により形成されるイエローの色成分の光像がＣＣＤ９で画像信号に光電変換されて取り込まれる（＃１５９）。
【０１４３】
ＣＣＤ９で取り込まれた画像信号（イエローの色成分のネガ画像信号）についても上述したシアンの色成分のネガ画像信号と同様の所定のアナログ信号処理とデジタル信号処理とが行われ、このデジタル信号処理でイエローの補色である青の色成分の画像データ（Ｂポジデータ）に反転されるとともに、所定の圧縮率で圧縮されて画像メモリ１４に一旦、記憶される（＃１６１，＃１６３）。そして、Ｂポジデータは出力Ｉ／Ｏ２１により所定のタイミングで画像メモリ１４から読み出されてＰＣ３０に出力される（＃１６５）。
【０１４４】
続いて、フィルタ部材３０２がマゼンタのカラーフィルタ３０２ｆに切り換えられ、先頭コマが照明部３からのマゼンタ色の光で照明される。そして、この照明により形成されるマゼンタの色成分の光像がＣＣＤ９で画像信号に光電変換されて取り込まれる（＃１６７）。
【０１４５】
ＣＣＤ９で取り込まれた画像信号（マゼンタの色成分のネガ画像信号）についても上述したシアンの色成分のネガ画像信号と同様の所定のアナログ信号処理とデジタル信号処理とが行われ、このデジタル信号処理でマゼンタの補色である緑の色成分の画像データ（Ｇポジデータ）に反転されるとともに、所定の圧縮率で圧縮されて画像メモリ１４に一旦、記憶される（＃１６９，＃１７１）。そして、Ｇポジデータは出力Ｉ／Ｏ２１により所定のタイミングで画像メモリ１４から読み出されてＰＣ３０に出力される（＃１７３）。
【０１４６】
続いて、最終コマのフィルム画像の読取りが終了したか否かが判別され（＃１７５）、終了していなければ（＃１７５でＮＯ)、次のコマを所定の撮像位置に設定するべくフィルム５が給送され（＃１７７）、次のコマが所定の撮像位置に設定されると、ステップ＃１５１に戻り、上述した手順と同様の手順で次のコマのフィルム画像がＣ，Ｍ，Ｙの色成分に分離して順次、読み取られ、Ｒ，Ｇ，Ｂのポジ画像データに変換されてＰＣ３０に出力される（＃１５１〜＃１７３）。
【０１４７】
そして、以下同様に各コマのフィルム画像が読み取られ（＃１５１〜＃１７７のループ）、全てのコマのフィルム画像の読取りが終了すると（＃１７５でＹＥＳ）、フィルム５がフィルムカートリッジ４内に巻き戻され、イジェクト可能にして処理を終了する（＃１７９）。
【０１４８】
フィルム５がモノクロームネガフィルムであると（＃１８１でＹＥＳ）、ステップ＃１８３に移行し、表４のＮｏ．７の処理が行われる（＃１８３〜＃１９９）。すなわち、照明部３の発光色が白色に設定され（＃１８３）、画像処理部１３におけるネガ／ポジ反転処理が「有り」に設定される（＃１８５）。続いて、フィルム５を給送して先頭コマが所定の撮像位置に設定され（＃１８７）、フィルタ部材３０２が透明板３０２ａに切換設定されて先頭コマが照明部３からの白色光で照明される。
【０１４９】
そして、この照明により形成される光像がＣＣＤ９で画像信号に光電変換されて取り込まれ（＃１８９）、その画像信号は、アナログプロセス回路１０に読み出され、ノイズ低減やレベル調整等の所定のアナログ信号処理が行われた後、Ａ／Ｄ変換回路１１でデジタルの画像データに変換されて画像処理部１３に入力され、更にこの画像処理部１３でγ補正、画像圧縮等の所定のデジタル信号処理が行われる。このデジタル信号処理では、画像データが輝度データのみであるからＷＢ調整は行われないが、ネガ／ポジ反転処理は行われ、輝度成分のポジ画像データに変換される（＃１９１）。従って、輝度成分のネガ画像データは、画像処理部１３でポジ画像データ（以下、輝度ポジデータという。）に反転されるとともに、所定の圧縮率で圧縮されて画像メモリ１４に一旦、記憶され（＃１９３）、出力Ｉ／Ｏ２１により所定のタイミングで画像メモリ１４から読み出されてＰＣ３０に出力される（＃１９５）。
【０１５０】
続いて、最終コマのフィルム画像の読取りが終了したか否かが判別され（＃１９７）、終了していなければ（＃１９７でＮＯ)、次のコマのフィルム画像を読み取るべくステップ＃１８７に戻り、フィルム５を給送して次のコマが所定の撮像位置に設定される（＃１８７）、次のコマが所定の撮像位置に設定されると、上述した手順と同様の手順で次のコマのフィルム画像が読み取られ、輝度ポジデータに変換されてＰＣ３０に出力される（＃１８７〜＃１９５）。
【０１５１】
そして、以下同様に各コマのフィルム画像が読み取られ（＃１８７〜＃１９７のループ）、全てのコマのフィルム画像の読取りが終了すると（＃１９７でＹＥＳ）、フィルム５がフィルムカートリッジ４内に巻き戻され、イジェクト可能にして処理を終了する（＃１９９）。
【０１５２】
フィルム５がカラーポジフィルムであると（＃１８１でＮＯ）、ステップ＃２０１に移行し、表４のＮｏ．６の処理が行われる（＃２０１〜＃２２９）。すなわち、照明部３の発光色が加色法の三原色であるＲ，Ｇ，Ｂに設定され（＃２０１）、画像処理部１３におけるネガ／ポジ反転処理が「無し」に設定される（＃２０３）。続いて、先頭コマを所定の撮像位置に設定するべくフィルム５が給送される（＃２０５）。
【０１５３】
先頭コマが所定の撮像位置に設定されると、フィルタ部材３０２が赤のカラーフィルタ３０２ｂに切換設定され、先頭コマが照明部３からの赤色の光で照明される。そして、この照明により形成される赤の色成分の光像がＣＣＤ９で画像信号に光電変換されて取り込まれる（＃２０７）。
【０１５４】
ＣＣＤ９で取り込まれた画像信号（赤の色成分のポジ画像信号）は、アナログプロセス回路１０に読み出され、ノイズ低減やレベル調整等の所定のアナログ信号処理が行われた後、Ａ／Ｄ変換回路１１でデジタルの画像データ（Ｒポジデータ）に変換されて画像処理部１３に入力され、更にこの画像処理部１３でＷＢ調整、γ補正、画像圧縮等の所定のデジタル信号処理が行われる。このデジタル信号処理ではネガ／ポジ反転処理は行わず、ＲポジデータはＷＢ調整後にγ補正され、更に所定の圧縮率で圧縮されて画像メモリ１４に一旦、記憶され（＃２０９，＃２１１）、出力Ｉ／Ｏ２１により所定のタイミングで画像メモリ１４から読み出されてＰＣ３０に出力される（＃２１３）。
【０１５５】
続いて、フィルタ部材３０２が青のカラーフィルタ３０２ｄに切り換えられ、先頭コマが照明部３からの青色の光で照明される。そして、この照明により形成される青の色成分の光像がＣＣＤ９で画像信号に光電変換されて取り込まれる（＃２１５）。
【０１５６】
ＣＣＤ９で取り込まれた画像信号（青の色成分のポジ画像信号）についても上述した赤の色成分のポジ画像信号と同様の所定のアナログ信号処理とデジタル信号処理とが行われ、Ｂポジデータはネガ／ポジ反転が行われることなく所定の圧縮率で圧縮されて画像メモリ１４に一旦、記憶される（＃２１７，＃２１９）。そして、Ｂポジデータは出力Ｉ／Ｏ２１により所定のタイミングで画像メモリ１４から読み出されてＰＣ３０に出力される（＃２２１）。
【０１５７】
続いて、フィルタ部材３０２が緑のカラーフィルタ３０２ｃに切り換えられ、先頭コマが照明部３からの緑色の光で照明される。そして、この照明により形成される緑の色成分の光像がＣＣＤ９で画像信号に光電変換されて取り込まれる（＃２２１）。
【０１５８】
ＣＣＤ９で取り込まれた画像信号（緑の色成分のポジ画像信号）についても上述した赤の色成分のポジ画像信号と同様の所定のアナログ信号処理とデジタル信号処理とが行われ、Ｇポジデータはネガ／ポジ反転が行われることなく所定の圧縮率で圧縮されて画像メモリ１４に一旦、記憶される（＃２２５，＃２２７）。そして、Ｇポジデータは出力Ｉ／Ｏ２１により所定のタイミングで画像メモリ１４から読み出されてＰＣ３０に出力される（＃２２９）。
【０１５９】
続いて、最終コマのフィルム画像の読取りが終了したか否かが判別され（＃２３１）、終了していなければ（＃２３１でＮＯ)、ステップ＃２０５に戻り、次のコマを所定の撮像位置に設定するべくフィルム５が給送され、次のコマが所定の撮像位置に設定されると、上述した手順と同様の手順で次のコマのフィルム画像がＲ，Ｇ，Ｂの色成分に分離して順次、読み取られ、ネガ／ポジ反転されることなくＰＣ３０に出力される（＃２０７〜＃２２９）。
【０１６０】
そして、以下同様に各コマのフィルム画像が読み取られ（＃２０５〜＃２３１のループ）、全てのコマのフィルム画像の読取りが終了すると（＃２３１でＹＥＳ）、フィルム５がフィルムカートリッジ４内に巻き戻され、イジェクト可能にして処理を終了する（＃２３３）。
【０１６１】
なお、上述の説明では外部接続される出力機器としてパーソナルコンピュータを例示したが、これに限定されるものではなくＲＧＢの色成分で画像処理を行なう他の出力機器（例えばＣＲＴ（Cathode Ray Tube）やＬＣＤ（Liquid Crystal Display）等の表示装置）を接続することもできる。
【０１６２】
また、本実施の形態では、カラーネガ、モノクロームネガ、カラーポジの各フィルム画像の読取りにおいて、画像信号は色データ毎に出力されているが、全ての色データを一旦、画像メモリ１４に記憶し、その後、ＪＰＥＧ圧縮を行って出力するようにしてもよい。この方法では、ＰＣ３０への画像データの転送時間を短縮することができる。
【０１６３】
上記のように第２実施形態に係るフィルム画像プリント装置１′では、ＲＧＢの色成分で画像処理を行なう出力機器を外部接続可能にし、出力機器に画像データを出力する場合には当該出力機器に適した色成分の画像データが得られるように適切な色で照明するとともに、画像信号のネガポジ反転処理を行なうようにしているので、フィルム画像の出力態様に応じて好適な画像読取りと信号処理とが行われ、高画質のプリント画像若しくは画質劣化の少ない表示装置への表示画像を得ることができる。
【０１６４】
また、画像データを圧縮してＰＣ３０に転送するようにしているので、転送処理を迅速に行うことができる。
【０１６５】
図１２は、フィルム画像プリント装置の第３実施形態のブロック構成図である。
【０１６６】
第３実施形態に係るフィルム画像プリント装置１″は、いわゆる画素ずらし法によりフィルム画像の高精細化を可能にしたものである。
【０１６７】
画素ずらし法は、被写体光像に対するＣＣＤ９の撮像位置を当該ＣＣＤ９の画素ピッチｐよりも短い距離で変位させて少なくとも２回撮像し、これらの撮像画像を用いてＣＣＤ９の画素密度よりも高い密度の画像データを得る方法である。
【０１６８】
例えば被写体光像に対するＣＣＤ９の撮像位置を上下左右にｐ／２だけ（斜めに０．７０７ｐだけ）変位させて２回撮像する場合、１回目の撮像画像の画像データ群をＤ１、２回目の撮像画像の画像データ群をＤ２とすると、画素データ群Ｄ１，Ｄ２の被写体光像に対する撮像位置は、図１３に示すようになっている。同図において、白丸は画素データ群Ｄ１の受光位置を示し、黒丸は画素データ群Ｄ２の受光位置を示している。なお、ＣＣＤ９の撮像位置を斜め右下方向に０．７０７ｐだけ変位させるとすると、ＣＣＤ９内の任意の画素の被写体光像に対する１回目の受光位置と２回目の受光位置とは、図１３においてａ点とａ′点との位置関係になっている。
【０１６９】
図１３に示すように、画素データ群Ｄ１及び画素データ群Ｄ２から被写体光像に対して上下左右にｐ／２ピッチで設定された受光位置のデータが得られるが、□印で示す位置については、画素データが欠落し、完全なｐ／２ピッチの画素密度の画素データは得られない。そこで、画素ずらし法では画素データ群Ｄ１及び画素データ群Ｄ２とを用いて不足する受光位置の画素データ群Ｄ３を補間することによりＣＣＤ９の画素密度の４倍の画素密度を有する画像データを得るようにしている。
【０１７０】
画素データ群Ｄ３の補間方法には種々の方法が有り、例えば特開平１０−２５７５０７号公報に示されるように、例えばｂ点の画素データＤ３を補間する場合、ｂ点に隣接する上下の画素データＤ１と左右の画素データＤ２とを用いて平均値若しくは加重平均値を算出することにより画素データＤ３が補間される。すなわち、図１４に示すように、ｂ点に隣接する上下の画素データＤ１をＤ１U，Ｄ１B、左右の画素データＤ２をＤ２R，Ｄ２Lとすると、
Ｄ３＝（Ｄ１U＋Ｄ１B）／２…(1)
Ｄ３＝（Ｄ２R＋Ｄ２L）／２…(2)
Ｄ３＝K1・(D1U+D1B)/2+(1-K1)・(D2R+D2L)/2…(3)
Ｄ３＝[C1・(D1U+D1B)+C2・(D2R+D2L)]/2  …(4)
等の演算式により画素データＤ３が補間される。なお、（３）式、（４）式におけるＫ１，Ｋ２，Ｃ１，Ｃ２は係数である。
【０１７１】
図１２は、ＣＣＤ９の撮像面に対する被写体光像の結像位置を光学的にずらすようにしたもので、図１において、撮影レンズ８とＣＣＤ９との間に撮像面における被写体光像の結像位置をずらせるための光学系２２（以下、画素ずらし光学系２２という。）を設けるとともに、この画素ずらし光学系２２を駆動する駆動部２３を設け、更に画像処理部１３内に２枚の撮像画像を画素データの補間処理を行なって合成することにより高精細画像を作成する画像合成部１３３を設けたものである。
【０１７２】
画素ずらし光学系２２は、図１５に示すように一方面２２ａが他方面２２ｂに対して僅かに傾斜するように構成され、入射光と出射光の光軸の平行性は保持されるが、入射点と出射点とが異なる板状の光学系である。画素ずらし光学系２２は光軸を中心に回転可能に設けられ、駆動部２３により第１の位置（図１５の（ａ）の状態）と第２の位置（図１５の（ｂ）の状態）とに切換設定されるようになっている。
【０１７３】
図１６は、画素ずらし光学系２２を第１の位置と第２の位置とに切換設定した場合の被写体光像（「ａ」の文字で示す。）の撮像面における結像位置の変位の一例を示すものである。なお、同図は、説明の便宜上、画素ずらし光学系２２の切換により撮像面Ｓが被写体光像に対して相対的に変位した内容で描いている。
【０１７４】
同図において、実線で示す撮像面Ｓは、例えば画素ずらし光学系２２を第１の位置に設定した場合の相対位置を示し、点線で示す撮像面Ｓは、画素ずらし光学系２２を第２の位置に設定した場合の相対位置を示している。すなわち、第１の位置を画素ずらし光学系２２の初期位置とすると、初期位置では被写体光像「ａ」は撮像面Ｓの略中央に投影され、画素ずらし光学系２２を第２の位置に切り換えると、撮像面Ｓにおける被写体光像「ａ」の投影位置は、斜め右下に変位される。このときの変位量はＣＣＤ９の正方画素ｇの配列ピッチをｐとすると、斜め下方向に０．７０７ｐとなっている。
【０１７５】
従って、画素ずらし光学系２２を第１の位置と第２の位置とに切り換えて同一の被写体をそれぞれ撮像すると、被写体に対してＣＣＤ９を上下左右にｐ／２だけずらせて撮影した２枚の撮像画像が得られ、画像処理部１３内の画像合成部１３３でこれらの撮像画像の画像データを用いて、上述の画素データ群Ｄ３の補間処理を行なうことにより通常の撮像によって得られる撮像画像よりも４倍の画素密度の高精細画像を得ることができるようになっている。
【０１７６】
なお、本実施の形態では、画素ずらし光学系２２を用いて光学的に被写体の撮像面における結像位置を変位させているが、ＣＣＤ９を変位可能に配設し、例えば圧電アクチュエータ等の駆動手段で当該ＣＣＤ９を所定の方向に微小変位させて被写体の撮像面における結像位置を変位させるようにしてもよい。
【０１７７】
次に、第３の実施形態に係るフィルム画像読取装置１″のフィルム画像の読取り及び記録紙へのプリントの制御について説明する。
【０１７８】
モノクローム画像の場合（表２のＮｏ．５参照）やカラー画像をモノクローム画像として取り込む場合、画素ずらし法により被写体光像に対するＣＣＤ９の撮像位置をずらして２回撮像し、各撮像画像から２種類の輝度信号を得ることによりこれらの輝度信号を用いて高精細のモノクローム画像を得ることができる。
【０１７９】
カラー画像の場合、全ての色成分（ＣＭＹＫ）について画素ずらし法により画素密度を高めるようにしてもよいが、このようにすると、１枚のフィルム画像を読み取るのに８回の撮像動作を繰り返す必要があり、画像読取動作に長時間を要する。
【０１８０】
その一方、視覚的には刺激値の大きい色成分について高精細化を図るだけでも効果的な高画質が得られるので、本実施の形態では輝度データに相当するデータを読み取る際（白色で照明するとき）にのみ画素ずらし法を適用し、１枚のフィルム画像の画像読取を５回の撮像動作で行なうようにしている。
【０１８１】
白色照明のときにのみ画素ずらし法を適用する場合は、図５〜図７に示すフローチャートにおいて、ステップ＃４５〜＃５３及びステップ＃６９〜＃７７を図１７に示すように修正し、ステップ＃１１３〜＃１１９を図１８に示すように修正すれば、第３の実施形態に係るフィルム画像読取装置１″のフィルム画像の読取り及び記録紙へのプリントの制御のフローチャートとなる。
【０１８２】
そこで、ここでは図１７，図１８の修正部分の処理内容についてのみ説明する。
【０１８３】
（１）カラーネガ若しくはモノクロームネガのフィルム画像を読み取る際の白色照明における画像読取とプリントアウトの処理（図１７のフローチャート）。
【０１８４】
フィルタ部材３０２が透明板３０２ａに切換設定されて先頭コマが照明部３からの白色の光で照明され、この照明により形成される光像がＣＣＤ９で画像信号に光電変換されて取り込まれる（＃２４１）。その画像信号は、アナログプロセス回路１０に読み出され、ノイズ低減やレベル調整等の所定のアナログ信号処理が行われた後、Ａ／Ｄ変換回路１１でデジタルの画像データに変換されて画像処理部１３に入力され、更にこの画像処理部１３でγ補正等の所定のデジタル信号処理が行われる。このデジタル信号処理ではＷＢ調整は行われず、ネガ／ポジ反転処理により輝度ポジデータに反転されて画像メモリ１４に一旦、記憶される（＃２４３，＃２４５）。この輝度ポジデータは、画素ずらし法により高精細化するための第１の輝度データ（図１３における画素データ群Ｄ１。以下、第１輝度ポジデータという。）に相当するものである。
【０１８５】
続いて、画素ずらし光学系２２が第１の位置から第２の位置に切り換えられ（＃２４７）、再度、先頭コマが白色の光で照明された状態でＣＣＤ９により読み取られる（＃２４９）。この画像信号も上述と同様に所定のアナログ信号処理とデジタル信号処理とが行われて輝度ポジデータに反転されて画像メモリ１４に一旦、記憶される（＃２５１，＃２５３）。この輝度ポジデータは、画素ずらし法により高精細化するための第２の輝度データ（図１３における画素データ群Ｄ２。以下、第２輝度ポジデータという。）に相当するものである。
【０１８６】
続いて、画像メモリ１４から第１輝度ポジデータと第２輝度ポジデータとが画像処理部１３に読み出され、画像合成部１３３で上記（１）〜（４）のいずれかの演算式により不足する画素位置の画素データが補間されて高精細化された輝度ポジデータが作成され、再度画像メモリ１４に記憶される（＃２５５）。そして、この輝度ポジデータは、所定のタイミングで画像メモリ１４から読み出され、Ｄ／Ａ変換回路１６でアナログデータに変換された後、プリンタ部１７に出力され（＃２５７）、当該プリンタ部１７で黒（Ｋ）の色成分の画像が記録紙Ｐにプリントアウトされ（＃２５９）、これによりフィルム画像の記録紙Ｐへのプリントアウトを完了する。
【０１８７】
なお、カラー画像をモノクローム画像で記録紙にプリントする場合も図１７に示す処理手順と同様の手順で画像の読取り及び記録紙へのプリントを行なうことにより高精細のプリント画像を得ることができる。
【０１８８】
（２）カラーポジのフィルム画像を読み取る際の白色照明における画像読取とプリントアウトの処理（図１８のフローチャート）。
【０１８９】
フィルタ部材３０２が透明板３０２ａに切換設定されて先頭コマが照明部３からの白色の光で照明され、この照明により形成される光像がＣＣＤ９で画像信号に光電変換されて取り込まれる（＃２６１）。その画像信号は、アナログプロセス回路１０に読み出され、ノイズ低減やレベル調整等の所定のアナログ信号処理が行われた後、Ａ／Ｄ変換回路１１でデジタルの画像データ（第１輝度ポジデータ）に変換されて画像処理部１３に入力され、更にこの画像処理部１３でγ補正等の所定のデジタル信号処理が行われる。このデジタル信号処理ではＷＢ調整及びネガ／ポジ反転処理は行われず、第１輝度ポジデータはそのまま画像メモリ１４に一旦、記憶される（＃２６３）。
【０１９０】
続いて、画素ずらし光学系２２が第１の位置から第２の位置に切り換えられ（＃２６５）、再度、先頭コマが白色の光で照明された状態でＣＣＤ９により読み取られる（＃２６７）。この画像信号も上述と同様に所定のアナログ信号処理とデジタル信号処理とが行われ（デジタル信号処理ではＷＢ調整及びネガ／ポジ反転処理は行われず）、画像処理部１３から出力される第２輝度ポジデータが画像メモリ１４に一旦、記憶される（＃２６９）。
【０１９１】
続いて、画像メモリ１４から第１輝度ポジデータと第２輝度ポジデータとが画像処理部１３に読み出され、画像合成部１３３で上記（１）〜（４）のいずれかの演算式により不足する画素位置の画素データが補間されて高精細化された輝度ポジデータが作成され、再度、画像メモリ１４に記憶される（＃２７１）。そして、この輝度ポジデータは、所定のタイミングで画像メモリ１４から読み出され、Ｄ／Ａ変換回路１６でアナログデータに変換された後、プリンタ部１７に出力され（＃２７３）、当該プリンタ部１７で黒（Ｋ）の色成分の画像が記録紙Ｐにプリントアウトされ（＃２７５）、これによりフィルム画像の記録紙Ｐへのプリントアウトを完了する。
【０１９２】
なお、第３実施形態に係るフィルム画像プリント装置１″は、第１実施形態に係るフィルム画像プリント装置１に画素ずらし法による高精細化機能を付加したものであるが、第２実施形態に係るフィルム画像プリント装置１′に画素ずらし法による高精細化機能を付加することも可能である。
【０１９３】
フィルム画像プリント装置１′に画素ずらし法による高精細化機能を付加したフィルム画像プリント装置（以下、第４実施形態に係るフィルム画像プリント装置という。）のブロック構成は、図８において、撮影レンズ８とＣＣＤ９との間に画素ずらし光学系２２を設けるとともに、この画素ずらし光学系２２を駆動する駆動部２３を設け、画像処理部１３内に画像合成部１３３を設けたものとなる。
【０１９４】
第４実施形態に係るフィルム画像プリント装置におけるフィルム画像の記録紙へのプリント処理は第３実施形態に係るフィルム画像プリント装置と同一であるが、フィルム画像を読み取って得られる画像データのＰＣ３０への転送処理は、例えば図１９〜図２１に示すフローチャートに従って行われる。
【０１９５】
図１９に示すフローチャートは、マゼンタの色で照明してフィルム画像を読み取る際、画素ずらし法を適用して被写体光像に対してＣＣＤ９の撮像位置をずらせて２回撮像し、両撮像画像から得られる２個の緑色のポジデータ（Ｇ１，Ｇ２ポジデータ）をＰＣ３０に転送するようにしたもので、図９のフローチャートにおいて、ステップ＃１７３とステップ＃１７５との間にステップ＃１７４−１〜＃１７４−５の処理（２回目のフィルム画像の読取り及び画像データのＰＣ３０への転送処理）を挿入したものである。
【０１９６】
また、図２０に示すフローチャートは、白色で照明してフィルム画像を読み取る際、画素ずらし法を適用して被写体光像に対してＣＣＤ９の撮像位置をずらせて２回撮像し、両撮像画像から得られる２個の輝度データ（第１，第２輝度データ）をＰＣ３０に転送するようにしたもので、図１０のフローチャートにおいて、ステップ＃１９５とステップ＃１９７との間にステップ＃１９６−１〜＃１９６−５の処理（２回目のフィルム画像の読取り及び画像データのＰＣへの転送処理）を挿入したものである。
【０１９７】
また、図２１に示すフローチャートは、緑の色で照明してフィルム画像を読み取る際、画素ずらし法を適用して被写体光像に対してＣＣＤ９の撮像位置をずらせて２回撮像し、両撮像画像から得られる２個の緑色のポジデータ（Ｇ１，Ｇ２ポジデータ）をＰＣ３０に転送するようにしたもので、図１１のフローチャートにおいて、ステップ＃２２９とステップ＃２３１との間にステップ＃２３０−１〜＃２３０−５の処理（２回目のフィルム画像の読取り及び画像データのＰＣ３０への出力処理）を挿入したものである。
【０１９８】
図１９〜図２１のフローチャートにおいて、追加挿入した処理は画素ずらし光学系２２を第１の位置から第２の位置に切り換えてその処理の前の照明色について行われたフィルム画像の読取り及び画像データのＰＣ３０への出力処理（画素ずらし法における１回目の処理）と同一の処理を行なうものであり、画素ずらし光学系２２の切換えやフィルム画像の読取り及びＰＣ３０への画像データの出力処理は上述したものと同一であるから、図１９〜図２１のフローチャートについての詳細説明は省略する。
【０１９９】
なお、これらのフローチャートでは、画像データのＰＣ３０への出力速度の高速化を考慮して画像処理部１３で高精細化した画像データを作成することなくＰＣ３０に２個の画像データを出力するようにしているが、高精細化した画像データをＰＣ３０に出力するようにしてもよい。また、上述の図１９〜図２１のフローチャートでは、輝度データに相当する色成分についてのみ画素ずらし法を適用するようにしているが、全ての色成分について画素ずらし法を適用するようにしてもよい。
【０２００】
上記のように第３実施形態及び第４実施形態に係るフィルム画像読取装置では、少なくとも輝度データに相当するデータに対して画素ずらし法により２枚の画像データを読み取り、プリンタ部１７に出力するときは、両画像データから画素密度を高めた画像データを作成し、この画像データを用いて記録紙にプリントアウトし、ＰＣ３０に出力するときは、両画像データをそれぞれ出力してＰＣ側で高精細化できるようにしたので、解像度の高いフィルム画像の記録画像若しくは再生画像を得ることができる。
【０２０１】
なお、上述した実施形態では自動的に画素ずらし法を適用するようにしているが、第３実施形態及び第４実施形態に係るフィルム画像読取装置に高精細画像読取モードを設け、操作部１９から高精細画像読取モードが設定されているときにのみ画素ずらし法を適用してフィルム画像を読み取るようにしてもよい。このようにすれば、ユーザのニーズに合った画質を自由に選択でき、使い勝手がより向上する。
【０２０２】
また、上記実施の形態では、撮像素子としてエリアセンサを用いているが、ラインセンサを用いてフィルム画像を読み取るようにしてもよい。ラインセンサを用いた場合は、エリアセンサに比べてフィルム画像の読取速度は低下するが、画素ずらし法を適用することなく高解像度の画像データを取り込むことができる利点がある。
【０２０３】
また、上記実施の形態では、フィルムのように画像が形成されたシート部材に照明光を透過させて当該画像の光像が形成されるタイプについて説明したが、本発明はこのタイプに限定されるものではなく、画像が形成されたシート部材に照明光を反射させて当該画像の光像が形成されるタイプ（例えば原稿画像など）についても適用することができる。
【０２０４】
【発明の効果】
以上説明したように、本発明によれば、画像が記録されたシート部材に複数の色の照明光を順次、照射して当該画像の光像を作成し、その光像を撮像手段で順次、画像信号に光電変換して取り込み、それらの色の画像信号に基づいて上記画像を記録紙に形成する画像形成装置であって、少なくとも第１の三原色とこれと補色関係にある第２の三原色とからなる６種類の色が発光可能な照明手段と、撮像手段で取り込まれた画像信号の明暗及び色彩を反転する信号反転手段とを設け、フィルムのネガ／ポジの種類に基づいて照明手段の発光色を設定するとともに、出力される画像信号が像形成手段で取扱可能な色成分の画像信号となるように信号反転手段の反転処理動作を制御するようにしたので、色再現性の高いフィルム画像のプリント画像を得ることができる。
【０２０５】
特に三原色の色成分の画像に加えて白色照明により輝度成分の画像を取り込み、この輝度成分の画像信号に基づいてカラー画像の黒色成分を印字するようにしているので、プリント画像の色再現性がより向上する。
【０２０６】
また、照明手段を、赤、緑、青の単色光を発光する３種類の光源とこれらの光源の発光を制御する発光制御手段とで構成したので、照明手段の構造が簡単かつ小型になる。
【０２０７】
また、新写真システムに適用されるフィルムの場合、フィルムカートリッジに記録されたフィルム情報を読み取り、その情報内容に基づいてフィルムの陰陽の種類を自動設定するようにしたので、フィルムの種類のマニュアル設定操作が不要になり、操作性が向上する。
【０２０８】
また、各色成分の画像信号を撮像手段で取り込まれる毎に、像形成手段に順次、出力するようにしたので、全色成分の画像信号を一括して出力する場合に比して画像信号のメモリ容量を低減することができ、コスト低減に寄与する。
【０２０９】
また、第２の三原色で画像処理を行う画像処理装置を外部接続可能にし、フィルムのネガ／ポジの種類と画像信号の出力先とに基づいて照明手段の発光色と信号反転手段の反転処理動作とを制御するようにしたので、高画質の画像を読み取ることができるとともに、出力先が像形成手段のときは色再現性の高いプリント画像が得られ、出力先が画像処理装置のときは画像データの取扱いが容易となり、画質劣化の少ない画像を出力させることができる。
【０２１０】
また、画像処理装置が外部接続されているときは、画像信号の出力先を当該画像処理装置に自動設定するようにしたので、マニュアルでのその操作が不要になり、操作性が向上する。
【０２１１】
また、撮像手段の撮像面に対する被写体光像の結像位置を当該撮像手段の画素ピッチよりも小さい所定量だけ変位可能にし、少なくとも１の照明色について撮像面に対する被写体光像の結像位置を変位させて複数の画像を取り込み、その画像を合成して画素密度の高い画像を生成するようにしたので、フィルム画像を記録紙にプリントした画像や画像処理装置で画像処理した画像の高精細化が可能になる。
【０２１２】
また、高精細画像読取モードを設定可能にし、高精細画像読取モードが設定されたとき、撮像面に対する被写体光像の結像位置を変位させて高精細化が可能な画像データを読み取るようにしたので、ユーザのニーズに合った画質を自由に選択でき、画像読取装置の使い勝手が向上する。
【図面の簡単な説明】
【図１】  本発明に係るフィルム画像プリント装置の第１実施形態のブロック構成図である。
【図２】  第１の実施形態に係る照明部の概略構成を示す斜視図である。
【図３】  第２の実施形態に係る照明部の概略構成を示す斜視図である。
【図４】  第３の実施形態に係る照明部の概略構成を示す斜視図である。
【図５】  第１実施形態に係るフィルム画像プリント装置のフィルム画像の読取り及び記録紙へのプリントの制御を示すフローチャートである。
【図６】  第１実施形態に係るフィルム画像プリント装置のフィルム画像の読取り及び記録紙へのプリントの制御を示すフローチャートである。
【図７】  第１実施形態に係るフィルム画像プリント装置のフィルム画像の読取り及び記録紙へのプリントの制御を示すフローチャートである。
【図８】  本発明に係るフィルム画像読取装置の第２実施形態のブロック構成図である。
【図９】  第２実施形態に係るフィルム画像プリント装置のフィルム画像の読取り及びＰＣへの出力制御を示すフローチャートである。
【図１０】  第２実施形態に係るフィルム画像プリント装置のフィルム画像の読取り及びＰＣへの出力制御を示すフローチャートである。
【図１１】  第２実施形態に係るフィルム画像プリント装置のフィルム画像の読取り及びＰＣへの出力制御を示すフローチャートである。
【図１２】  本発明に係るフィルム画像読取装置の第３実施形態のブロック構成図である。
【図１３】  画素ずらし法により２回の撮像動作で読み取られた画素データ群の被写体光像に対する受光位置を示す図である。
【図１４】  画素ずらし法における不足する画素位置の画素データの補間方法を説明するための図である。
【図１５】  画素ずらし光学系の概略構成を示す図である。
【図１６】  画素ずらし光学系を第１の位置と第２の位置とに切り換えた場合の被写体に対する撮像面の相対的な位置ずれを示す図である。
【図１７】  カラーネガフィルム及びカラーポジフィルムに対して白色照明のときに画素ずらし法によるフィルム画像の読取り及び記録紙へのプリントを行なわせる処理手順を示すフローチャートである。
【図１８】  モノクロームネガフィルムに対して白色照明のときに画素ずらし法によるフィルム画像の読取り及び記録紙へのプリントを行なわせる処理手順を示すフローチャートである。
【図１９】  図９に示すフローチャートにおいて、マゼンタの色で照明してフィルム画像を読み取る際に画素ずらし法を適用するように処理を修正したフローチャートである。
【図２０】  図１０に示すフローチャートにおいて、白色で照明してフィルム画像を読み取る際に画素ずらし法を適用するように処理を修正したフローチャートである。
【図２１】  図１１に示すフローチャートにおいて、緑の色で照明してフィルム画像を読み取る際に画素ずらし法を適用するように処理を修正したフローチャートである。
【符号の説明】
１，１′，１″  フィルム画像プリント装置（画像形成装置）
２  フィルム給送部
３，３′，３″  照明部（照明手段）
３０１，３０１′，３０１″  光源
３０２  フィルタ部材（カラーフィルタ）
３０３  駆動部材
３０４  位置検出部材
３０５  拡散板
３０６  導光板
４  フィルムカートリッジ
５  フィルム（シート部材）
６  フィルム情報読取部
７  磁気情報読取部
８  撮影レンズ
９  撮像素子（撮像手段）
１０  アナログプロセス回路
１１  Ａ／Ｄ変換回路
１２  タイミングジェネレータ
１３  画像処理部
１３１  ネガ／ポジ反転処理部（信号反転手段）
１３２  画像圧縮部
１３３  画像合成部（画像合成手段）
１４  画像メモリ
１５  メモリコントローラ
１６  Ｄ／Ａ変換回路
１７  プリント部（像形成手段）
１７１  ヘッド駆動部
１７２  記録紙給送部
１７３  インクリボン給送部
１７４  プリンタヘッド
１８  制御部（設定手段，制御手段，発光制御手段，出力先設定手段，撮像制御手段）
１８１  フィルム情報判別部
１９  操作部（出力先設定手段，モード設定手段）
２０  コネクタ（接続手段）
２１  出力Ｉ／Ｏ
２２  画素ずらし光学系（像変位手段，光学手段）
２３  駆動部（像変位制御手段）
３０  パーソナルコンピュータ（画像処理装置）
【図１】
0003750429.tif 000006
【図２】
0003750429.tif 000007
【図３】
0003750429.tif 000008
【図４】
0003750429.tif 000009
【図５】
0003750429.tif 000010
【図６】
0003750429.tif 000011
【図７】
0003750429.tif 000012
【図８】
0003750429.tif 000013
【図９】
0003750429.tif 000014
【図１０】
0003750429.tif 000015
【図１１】
0003750429.tif 000016
【図１２】
0003750429.tif 000017
【図１３】
0003750429.tif 000018
【図１４】
0003750429.tif 000019
【図１５】
0003750429.tif 000020
【図１６】
0003750429.tif 000021
【図１７】
0003750429.tif 000022
【図１８】
0003750429.tif 000023
【図１９】
0003750429.tif 000024
【図２０】
0003750429.tif 000025
【図２１】
0003750429.tif 000026